(57)【要約】  ＮＲ（new radio access technology）においてデュアルコネクティビティ（ＤＣ；dual connectivity）を支援する方法及び装置が提供される。一実施形態として、端末（ＵＥ；user equipment）によってＵＬ（uplink）送信を行う方法が提供される。さらに具体的に、ＵＥは、互いに分離された第１搬送波グループ（ＣＧ；carrier group）の第１ＵＬリソース及び第２ＣＧの第２ＵＬリソースに対する半静的構成を受信し、前記第１ＵＬリソースだけを利用して、前記第１ＣＧへＵＬ送信を行う。【選択図】図１９
2020522955.tif 000002
【特許請求の範囲】
【請求項１】
無線通信システムにおける端末（ＵＥ；user equipment）によってＵＬ（uplink）送信を行う方法であって、
互いに分離された第１搬送波グループ（ＣＧ；carrier group）の第１ＵＬリソース及び第２ＣＧの第２ＵＬリソースに対する半静的構成を受信し、
前記第１ＵＬリソースだけを利用して前記第１ＣＧへＵＬ送信を行う、ことを含む、方法。
【請求項２】
前記第１ＵＬリソースと前記第２ＵＬリソースは、時間領域においてＴＤＭ（timing division multiplexing）方式で互いに分離されることを特徴とする、請求項１に記載の方法。
【請求項３】
前記第１ＣＧでの初期接続手順のためのＵＬ送信は、前記第１ＵＬリソース及び前記第２ＵＬリソースに対する半静的構成にかかわらず、常に送信されうることを特徴とする、請求項１に記載の方法。
【請求項４】
前記第１ＣＧは、ＬＴＥ（long-term evolution）のＣＧであり、
前記第２ＣＧは、ＮＲ（new radio access technology）のＣＧであることを特徴とする、請求項３に記載の方法。
【請求項５】
前記第１ＵＬリソースで前記第１ＣＧへのＵＬ送信が優先順位を有し、
前記第２ＵＬリソースで前記第２ＣＧへのＵＬ送信が優先順位を有することを特徴とする、請求項１に記載の方法。
【請求項６】
前記第１ＵＬリソースが前記第１ＣＧへのＵＬ送信のために使用されないと、前記第１ＵＬリソースは、前記第２ＣＧによって使用されることを特徴とする、請求項５に記載の方法。
【請求項７】
前記第２ＵＬリソースが前記第２ＣＧへのＵＬ送信のために使用されないと、前記第２ＵＬリソースは、前記第１ＣＧによって使用されることを特徴とする、請求項５に記載の方法。
【請求項８】
前記第１ＣＧへのＵＬ送信が前記第２ＵＬリソースにスケジュールされると、前記第２ＵＬリソースで前記第２ＣＧへのＵＬ送信があるかどうかにかかわらず、前記スケジュールされた第１ＣＧへのＵＬ送信は、省略されることを特徴とする、請求項１に記載の方法。
【請求項９】
前記半静的構成は、前記第２ＣＧが活性化される以前に受信されることを特徴とする、請求項１に記載の方法。
【請求項１０】
前記第１ＵＬリソースは、第１ＵＬサブフレームの集合であり、
前記第２ＵＬリソースは、第２ＵＬサブフレームの集合であることを特徴とする、請求項１に記載の方法。
【請求項１１】
無線通信システムにおける端末（ＵＥ；user equipment）であって、
メモリと、
送受信部と、
前記メモリ及び前記送受信部に接続されるプロセッサと、を含み、
前記プロセッサは、
互いに分離された第１搬送波グループ（ＣＧ；carrier group）の第１ＵＬ（uplink）リソース及び第２ＣＧの第２ＵＬリソースに対する半静的構成を受信するように前記送受信部を制御し、
前記第１ＵＬリソースだけを利用して前記第１ＣＧへＵＬ送信を行うように前記送受信部を制御することを特徴とする、ＵＥ。
【請求項１２】
前記第１ＵＬリソースと前記第２ＵＬリソースは、時間領域でＴＤＭ（timing division multiplexing）方式で互いに分離されることを特徴とする、請求項１１に記載のＵＥ。
【請求項１３】
前記第１ＣＧでの初期接続手順のためのＵＬ送信は、前記第１ＵＬリソース及び前記第２ＵＬリソースに対する半静的構成にかかわらず、常に送信されうることを特徴とする、請求項１１に記載のＵＥ。
【請求項１４】
前記第１ＣＧは、ＬＴＥ（long-term evolution）のＣＧであり、
前記第２ＣＧは、ＮＲ（new radio access technology）のＣＧであることを特徴とする、請求項１３に記載のＵＥ。
【請求項１５】
前記第１ＵＬリソースで前記第１ＣＧへのＵＬ送信が優先順位を有し、
前記第２ＵＬリソースで前記第２ＣＧへのＵＬ送信が優先順位を有することを特徴とする、請求項１１に記載のＵＥ。
【発明の詳細な説明】
【技術分野】
【０００１】
本発明は、無線通信に関し、さらに詳細には、ＮＲ（ｎｅｗ  ｒａｄｉｏ  ａｃｃｅｓｓ  ｔｅｃｈｎｏｌｏｇｙ）においてデュアルコネクティビティを支援する方法及び装置に関する。
【背景技術】
【０００２】
３ＧＰＰ  ＬＴＥは、高速パケット通信を可能とするための技術である。ＬＴＥの目標であるユーザと事業者の費用節減、サービス品質向上、カバレッジ拡張及びシステム容量増大のために多くの方式が提案された。３ＧＰＰ  ＬＴＥは、上位レベルの必要条件として、ビット当たり費用の節減、サービス有用性の向上、周波数バンドの柔軟な使用、簡単な構造、開放型インターフェース及び端末の適切な電力消費を要求する。
【０００３】
より多くの通信機器がより大きな通信容量を要求することにより、既存の無線アクセス技術に比べて改善されたモバイルブロードバンド通信が必要である。また、複数の機器及び物を接続していつでもどこでも多様なサービスを提供する巨大ＭＴＣ（ｍａｃｈｉｎｅ  ｔｙｐｅ  ｃｏｍｍｕｎｉｃａｔｉｏｎ）も次世代通信において考慮される主要イシューの１つである。さらに、信頼性及び遅延に敏感なサービス／端末（ＵＥ：ｕｓｅｒ  ｅｑｕｉｐｍｅｎｔ）を考慮した通信システム設計が論議されている。このように向上したモバイルブロードバンド通信（ｅＭＢＢ：ｅｎｈａｎｃｅｄ  ｍｏｂｉｌｅ  ｂｒｏａｄｂａｎｄ  ｃｏｍｍｕｎｉｃａｔｉｏｎ）、巨大ＭＴＣ、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代無線アクセス技術の導入が論議されており、便宜上、このような新しい技術は新しい無線アクセス技術（ｎｅｗ  ｒａｄｉｏ  ａｃｃｅｓｓ  ｔｅｃｈｎｏｌｏｇｙ（ＲＡＴ）又はＮＲ）と呼ばれることができる。
【０００４】
ミリメートル波（ｍｍＷ）帯域では波長が短くなって同一面積に複数のアンテナが設置されることができる。例えば、３０ＧＨｚ帯域で波長は１ｃｍであり、５×５ｃｍ２のパネルに０．５λ（波長）間隔で２次元配列形態で計１００個のアンテナ要素が設置されることができる。従って、ｍｍＷ帯域では、複数のアンテナ要素を用いてビームフォーミング（ｂｅａｍｆｏｒｍｉｎｇ）利得を向上させてカバレッジを増加させるか、スループット（ｔｈｒｏｕｇｈｐｕｔ）を向上させることができる。
【０００５】
この場合、アンテナ要素別に送信パワー及び位相の調節ができるように送受信部を有すると、周波数リソース別に独立したビームフォーミングが可能である。しかしながら、１００個余りのアンテナ要素の全てに送受信部を設置すると、コストの側面で実効性が低下する問題がある。従って、１つの送受信部に複数のアンテナ要素をマッピングし、アナログ位相シフタ（ａｎａｌｏｇ  ｐｈａｓｅ  ｓｈｉｆｔｅｒ）でビームの方向を調節する方式が考慮されている。このようなアナログビームフォーミング方式は、全帯域にわたって１つのビーム方向のみを作ることができるため、周波数選択的ビームフォーミングができないという欠点がある。
【０００６】
デジタルビームフォーミングとアナログビームフォーミングの中間形態として、Ｑ個のアンテナ要素より少ない数であるＢ個の送受信部を有するハイブリッドビームフォーミングを考慮することができる。この場合、Ｂ個の送受信部とＱ個のアンテナ要素の接続方式によって異なるが、同時に送信できるビームの方向はＢ個以下に制限される。
【０００７】
ＮＲ固有の特性によって、ＮＲの物理チャンネルの構造及び／又はこれと関連した特徴は既存のＬＴＥと異なることがある。ＮＲの効率よい動作のために、多様な方式が提案できる。
【発明の概要】
【発明が解決しようとする課題】
【０００８】
本発明は、ＮＲ（ｎｅｗ  ｒａｄｉｏ  ａｃｃｅｓｓ  ｔｅｃｈｎｏｌｏｇｙ）においてデュアルコネクティビティ（ＤＣ；ｄｕａｌ  ｃｏｎｎｅｃｔｉｖｉｔｙ）を支援するための制御チャネルの設計方法及び装置を提供する。本発明においてデュアルコネクティビティは、同期（ｓｙｎｃｈｒｏｎｏｕｓ）デュアルコネクティビティ及び非同期（ａｓｙｎｃｈｒｏｎｏｕｓ）デュアルコネクティビティを含むことができる。また、本発明は、ＵＬ（ｕｐｌｉｎｋ）スペクトルのみを共有するデュアルコネクティビティを議論する。また、本発明は、ＵＥが与えられた時間にただ一つの搬送波グループ（ＣＧ；ｃａｒｒｉｅｒ  ｇｒｏｕｐ）においてのみＵＬ送信を行うことができる場合、２個のＣＧ間のデュアルコネクティビティを議論する。
【課題を解決するための手段】
【０００９】
一様態において、無線通信システムにおける端末（ＵＥ；ｕｓｅｒ  ｅｑｕｉｐｍｅｎｔ）によってＵＬ（ｕｐｌｉｎｋ）送信を行う方法が提供される。前記方法は、互いに分離された第１搬送波グループ（ＣＧ；ｃａｒｒｉｅｒ  ｇｒｏｕｐ）の第１ＵＬリソース及び第２ＣＧの第２ＵＬリソースに対する半静的構成を受信し、前記第１ＵＬリソースだけを利用して前記第１ＣＧへＵＬ送信を行うことを含む。
【００１０】
他の一様態において、無線通信システムにおける端末（ＵＥ；ｕｓｅｒ  ｅｑｕｉｐｍｅｎｔ）が提供される。前記端末は、メモリと、送受信部と、前記メモリ及び前記送受信部に接続されるプロセッサとを含む。前記プロセッサは、互いに分離された第１搬送波グループ（ＣＧ；ｃａｒｒｉｅｒ  ｇｒｏｕｐ）の第１ＵＬ（ｕｐｌｉｎｋ）リソース及び第２ＣＧの第２ＵＬリソースに対する半静的構成を受信するように前記送受信部を制御し、前記第１ＵＬリソースだけを利用して前記第１ＣＧへＵＬ送信を行うように前記送受信部を制御する。
【発明の効果】
【００１１】
ＮＲにおいてデュアルコネクティビティが効果的に支援されうる。
【図面の簡単な説明】
【００１２】
【図１】図１は、無線通信システムを示す。
【図２】図２は、３ＧＰＰ  ＬＴＥの無線フレームの構造を示す。
【図３】図３は、一つのＤＬスロットに対するリソースグリッド（ｒｅｓｏｕｒｃｅ  ｇｒｉｄ）を示す。
【図４】図４は、ＮＧ−ＲＡＮアーキテクチャーを示す。
【図５】図５は、ＮＲのフレームの構造の一例を示す。
【図６】図６は、ＮＲにおいてサブフレーム構造の一例を示す。
【図７】図７は、ＣＯＲＥＳＥＴの一例を示す。
【図８】図８は、ＥＮ−ＤＣアーキテクチャーを示す。
【図９】図９は、本発明の一実施形態によるＵＬ共有を含むＤＣを示す。
【図１０】図１０は、本発明の一実施形態による単一ＵＬ送信のためのＤＣシナリオを示す。
【図１１】図１１は、本発明の一実施形態によるＬＴＥとＮＲのデュアルコネクティビティによるＵＬ送信を示す。
【図１２】図１２は、本発明のさらに他の実施の形態によるＬＴＥとＮＲのデュアルコネクティビティによるＵＬ送信を示す。
【図１３】図１３は、本発明の一実施形態によるＵＬスペクトルを共有するＤＣのシナリオを示す。
【図１４】図１４は、本発明の一実施形態によるＬＴＥ／ＮＲのＰＵＣＣＨ送信の一例を示す。
【図１５】図１５は、本発明の一実施形態によるＢＷＰ構成の一例を示す。
【図１６】図１６は、本発明の一実施形態による二つのＣＧ間のＭＡＣレベルでの共有を示す。
【図１７】図１７は、本発明の一実施形態によるＵＬ送信を示す。
【図１８】図１７は、本発明の一実施形態によるＵＬ送信を示す。
【図１９】図１９は、本発明の一実施形態によるＵＥによるＵＬ送信を行う方法のブロック図である。
【図２０】図２０は、本発明の実施形態が具現化される無線通信システムを示す。
【発明を実施するための形態】
【００１３】
以下、本発明はＮＲ（ｎｅｗ  ｒａｄｉｏ  ａｃｃｅｓｓ  ｔｅｃｈｎｏｌｏｇｙ）基盤の無線通信システムを中心として説明される。しかしながら、本発明はこれに制限されず、本発明は以下で説明する同一な特徴を有する他の無線通信システム、例えば３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）／ＬＴＥ−Ａ（ａｄｖａｎｃｅｄ）またはＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）にも適用できる。
【００１４】
図１は、無線通信システムを示す。無線通信システム１０は、少なくとも一つの基地局１１（ＢＳ；ｂａｓｅ  ｓｔａｔｉｏｎ）を含む。各ＢＳ１１は、特定の地理的領域（一般にセルという）１５ａ、１５ｂ、１５ｃに対して通信サービスを提供する。各セルは、また多数の領域（セクターという）に分けられることができる。端末１２（ＵＥ；ｕｓｅｒ  ｅｑｕｉｐｍｅｎｔ）は、固定されるか、または移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。ＢＳ１１は、一般にＵＥ１２と通信する固定された地点のことをいい、ｅＮＢ（ｅｖｏｌｖｅｄ  ＮｏｄｅＢ）、ｇＮＢ、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることができる。
【００１５】
ＵＥは、通常一つのセルに属するが、ＵＥが属したセルをサービングセルという。サービングセルに対して通信サービスを提供するＢＳをサービングＢＳという。無線通信システムは、セルラシステムであるから、サービングセルに隣接する他のセルが存在する。サービングセルに隣接する他のセルを隣接セルという。隣接セルに対して通信サービスを提供するＢＳを隣接ＢＳという。サービングセル及び隣接セルは、ＵＥを基準に相対的に決定される。
【００１６】
この技術は、ＤＬまたはＵＬに使用されることができる。一般に、ＤＬは、ＢＳ１１からＵＥ１２への通信を意味し、ＵＬは、ＵＥ１２からＢＳ１１への通信を意味する。ＤＬにおいて送信機は、ＢＳ１１の一部分で、受信機は、ＵＥ１２の一部分でありうる。ＵＬにおいて送信機は、ＵＥ１２の一部分で、受信機は、ＢＳ１１の一部分でありうる。
【００１７】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム及びＳＩＭＯ（ｓｉｎｇｌｅ−ｉｎｐｕｔ  ｍｕｌｔｉｐｌｅ−ｏｕｔｐｕｔ）システムのうち、いずれか一つでありうる。ＭＩＭＯシステムは、多数の送信アンテナと多数の受信アンテナを使用する。ＭＩＳＯシステムは、多数の送信アンテナと一つの受信アンテナを使用する。ＳＩＳＯシステムは、一つの送信アンテナと一つの受信アンテナを使用する。ＳＩＭＯシステムは、一つの送信アンテナと多数の受信アンテナを使用する。以下、送信アンテナは、一つの信号またはストリームを送信するのに使用される物理的または論理的アンテナを意味し、受信アンテナは、一つの信号またはストリームを受信するのに使用される物理的または論理的アンテナを意味する。
【００１８】
図２は、３ＧＰＰ  ＬＴＥの無線フレームの構造を示す。図２を参照すると、無線フレームは、１０個のサブフレームを含む。サブフレームは、時間領域において２個のスロットを含む。上位層により一つのトランスポートブロックを物理層に送信する時間は（一般に一つのサブフレームにかけて）、ＴＴＩ（ｔｒａｎｓｍｉｓｓｉｏｎ  ｔｉｍｅ  ｉｎｔｅｒｖａｌ）として定義される。例えば、一つのサブフレームは、１ｍｓの長さを有することができ、一つのスロットは、０．５ｍｓの長さを有することができる。一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ））シンボルを含む。３ＧＰＰ  ＬＴＥは、ＤＬでＯＦＤＭＡを使用するから、ＯＦＤＭシンボルは、一つのシンボル周期を表現するためである。ＯＦＤＭシンボルは、多元接続方式によって他の名称で呼ばれることができる。例えば、ＳＣ−ＦＤＭＡがＵＬ多元接続方式として使用される場合、ＯＦＤＭシンボルは、ＳＣ−ＦＤＭＡシンボルと呼ばれることができる。リソースブロック（ＲＢ；ｒｅｓｏｕｒｅ  ｂｌｏｃｋ）は、リソース割り当て単位であり、一つのスロットに複数の連続した副搬送波を含む。ただし例示的な目的のために無線フレームの構造が図示される。したがって、無線フレームに含まれるサブフレームの数またはサブフレームに含まれるスロットの数またはスロットに含まれるＯＦＤＭシンボルの数は、多様に変更されることができる。
【００１９】
無線通信システムは、大きくＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられることができる。ＦＤＤ方式によれば、ＵＬ送信とＤＬ送信が互いに異なる周波数帯域を占めながらなされる。ＴＤＤ方式によれば、ＵＬ送信とＤＬ送信が同じ周波数帯域を占めながら互いに異なる時間になされる。ＴＤＤ方式のチャネル応答は、実質的に相互的（ｒｅｃｉｐｒｏｃａｌ）である。これは、与えられた周波数領域においてＤＬチャネル応答とＵＬチャネル応答とがほぼ同一であるということである。したがって、ＴＤＤに基づいた無線通信システムにおいてＤＬチャネル応答は、ＵＬチャネル応答から得られることができるという長所がある。ＴＤＤ方式は、周波数帯域の全体をＵＬ送信とＤＬ送信が時分割するので、ＢＳによるＤＬ送信とＵＥによるＵＬ送信が同時に行われることができない。ＵＬ送信とＤＬ送信がサブフレーム単位に区分されるＴＤＤシステムにおいて、ＵＬ送信とＤＬ送信は、互いに異なるサブフレームにおいて行われる。
【００２０】
図３は、一つのＤＬスロットに対するリソースグリッド（ｒｅｓｏｕｒｃｅ  ｇｒｉｄ）を示す。図３を参照すると、ＤＬスロットは、時間領域において複数のＯＦＤＭシンボルを含む。ここで、一つのＤＬスロットは、７ＯＦＤＭシンボルを含み、一つのＲＢは、周波数領域において１２副搬送波を含むことを例示的に述べるが、これに制限されるものではない。リソースグリッド上の各要素をリソースエレメント（ＲＥ；ｒｅｓｏｕｒｃｅ  ｅｌｅｍｅｎｔ）という。一つのＲＢは、７×１２リソースエレメントを含む。ＤＬスロットに含まれるリソースブロックの数ＮＤＬは、ＤＬ送信帯域幅に従属する。ＵＬスロットの構造もＤＬスロットの構造と同一でありうる。ＯＦＤＭシンボルの数と副搬送波の数は、ＣＰの長さ、周波数間隔などによって多様に変更されうる。例えば、ノーマルＣＰの場合、ＯＦＤＭシンボルの数は７で、拡張ＣＰの場合、ＯＦＤＭシンボルの数は６である。一つのＯＦＤＭシンボルにおいて副搬送波の数は、１２８、２５６、５１２、１０２４、１５３６及び２０４８のうち、一つを選定して使用することができる。
【００２１】
ＤＬサブフレームは、制御チャネルが割り当てられる制御領域とデータチャネルであるＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に区分されることができる。３ＧＰＰ  ＬＴＥにおいて使用されるＤＬ制御チャネルの例示としてＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの第１番目のＯＦＤＭシンボルで送信され、サブフレーム内で制御チャネルの送信に使用されるＯＦＤＭシンボルの数と関連した情報を運ぶ。ＰＨＩＣＨは、ＵＬ送信に対する応答であり、ＨＡＲＱ（ｈｙｂｒｉｄ  ａｕｔｏｍａｔｉｃ  ｒｅｐｅａｔ  ｒｅｑｕｅｓｔ）−ＡＣＫ（ａｃｋｎｏｗｌｅｄｇｅｍｅｎｔ）信号を運ぶ。ＰＤＣＣＨを介して送信される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報または任意のＵＥグループのためのＵＬ送信電力制御（ＴＰＣ；ｔｒａｎｓｍｉｔ  ｐｏｗｅｒ  ｃｏｎｔｒｏｌ）命令を含む。
【００２２】
ＰＤＣＣＨは、ＤＬ−ＳＣＨ（ｄｏｗｎｌｉｎｋ  ｓｈａｒｅｄ  ｃｈａｎｎｅｌ）のリソース割り当て及び送信フォーマット、ＵＬ−ＳＣＨ（ｕｐｌｉｎｋ  ｓｈａｒｅｄ  ｃｈａｎｎｅｌ）のリソース割り当て情報、ページングチャネル上のページング情報、ＤＬ−ＳＣＨ上のシステム情報、ＰＤＳＣＨ上に送信されるランダムアクセス応答のような上位層制御メッセージのリソース割り当て、任意のＵＥグループ内の個別ＵＥに対するＴＰＣ命令の集合及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で送信されうる。ＵＥは、複数のＰＤＣＣＨをモニタリングできる。ＰＤＣＣＨは、一つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に送信される。ＣＣＥは、無線チャネルの状態に応じる符号化率を有するＰＤＣＣＨを提供するために使用される論理的割り当て単位である。ＣＣＥは、複数のＲＥＧ（ｒｅｓｏｕｒｃｅ  ｅｌｅｍｅｎｔ  ｇｒｏｕｐ）に対応する。
【００２３】
ＣＣＥの数とＣＣＥにより提供される符号化率の関係によってＰＤＣＣＨのフォーマット及び可能なＰＤＣＣＨのビット数が決定される。ＢＳは、ＵＥに送信しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣは、ＰＤＣＣＨの所有者（ｏｗｎｅｒ）または用途に応じて固有の識別子（ＲＮＴＩ；ｒａｄｉｏ  ｎｅｔｗｏｒｋ  ｔｅｍｐｏｒａｒｙ  ｉｄｅｎｔｉｆｉｅｒ）でマスキングされる。特定ＵＥのためのＰＤＣＣＨであると、ＵＥの固有識別子、例えばＣ−ＲＮＴＩ（ｃｅｌｌ  ＲＮＴＩ）がＣＲＣにマスキングされることができる。または、ページングメッセージのためのＰＤＣＣＨであると、ページング指示識別子、例えばＰ−ＲＮＴＩ（ｐａｇｉｎｇ  ＲＮＴＩ）がＣＲＣにマスキングされることができる。システム情報のためのＰＤＣＣＨであると、ＳＩ−ＲＮＴＩ（ｓｙｓｔｅｍ  ｉｎｆｏｒｍａｔｉｏｎ  ＲＮＴＩ）がＣＲＣにマスキングされることができる。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ  ＲＮＴＩ）がＣＲＣにマスキングされることができる。
【００２４】
ＵＬサブフレームは、周波数領域において制御領域とデータ領域とに分けられることができる。制御領域は、ＵＬ制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位層において指示される場合、ＵＥは、ＰＵＳＣＨとＰＵＣＣＨの同時送信を支援できる。一つのＵＥに対したＰＵＣＣＨは、サブフレームにおいてリソースブロックの組（ＲＢ  ｐａｉｒ）で割り当てられる。ＲＢの組に属するリソースブロックは、第１スロットと第２スロットの各々において互いに異なる副搬送波を占める。これをＰＵＣＣＨに割り当てられるＲＢの組がスロット境界から周波数がホッピング（ｆｒｅｑｕｅｎｃｙ−ｈｏｐｐｅｄ）されたという。ＵＥは、時間に応じてＵＬ制御情報を互いに異なる副搬送波を介して送信することによって、周波数ダイバーシチ利得を得ることができる。
【００２５】
ＰＵＣＣＨ上に送信されるＵＬ制御情報は、ＨＡＲＱ−ＡＣＫ、ＤＬチャネル状態を表すＣＱＩ（ｃｈａｎｎｅｌ  ｑｕａｌｉｔｙ  ｉｎｄｉｃａｔｏｒ）、ＳＲ（ｓｃｈｅｄｕｌｉｎｇ  ｒｅｑｕｅｓｔ）などを含むことができる。ＰＵＳＣＨは、送信チャネルであるＵＬ−ＳＣＨにマッピングされる。ＰＵＳＣＨ上に送信されるＵＬデータは、ＴＴＩの間に送信されるＵＬ−ＳＣＨのためのデータブロックであるトランスポートブロックでありうる。トランスポートブロックは、ユーザ情報でありうる。または、ＵＬデータは、多重化された（ｍｕｌｔｉｐｌｅｘｅｄ）データでありうる。多重化されたデータは、ＵＬ−ＳＣＨのためのトランスポートブロックと制御情報が多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報だけで構成されることもできる。
【００２６】
５Ｇシステムは、５Ｇ  ＡＮ（ａｃｃｅｓｓ  ｎｅｔｗｏｒｋ）、５Ｇ  ＣＮ（ｃｏｒｅ  ｎｅｔｗｏｒｋ）及びＵＥで構成された３ＧＰＰシステムである。５Ｇ  ＡＮは、５Ｇ  ＣＮに接続する非３ＧＰＰアクセスネットワーク及び／またはＮＧ−ＲＡＮ（ｎｅｗ  ｇｅｎｅｒａｔｉｏｎ  ｒａｄｉｏ  ａｃｃｅｓｓ  ｎｅｔｗｏｒｋ）を含むアクセスネットワークである。
【００２７】
図４は、ＮＧ−ＲＡＮアーキテクチャーを示す。図４を参照すると、ＮＧ−ＲＡＮは、一つ以上のＮＧ−ＲＡＮノードを含む。ＮＧ−ＲＡＮノードは、一つ以上のｇＮＢ及び／または一つ以上のｎｇ−ｅＮＢを含む。ｇＮＢは、ＵＥに向かってＮＲユーザプレーン及び制御プレーンプロトコル終端を提供する。ｎｇ−ｅＮＢは、ＵＥに向かってＥ−ＵＴＲＡユーザプレーン及び制御プレーンプロトコル終端を提供する。ｇＮＢとｎｇ−ｅＮＢは、Ｘｎインターフェースを介して相互接続される。ｇＮＢ及びｎｇ−ｅＮＢは、ＮＧインターフェースを介して５Ｇ  ＣＮに接続される。さらに具体的に、ｇＮＢ及びｎｇ−ｅＮＢは、ＮＧ−Ｃインターフェースを介してＡＭＦ（ａｃｃｅｓｓ  ａｎｄ  ｍｏｂｉｌｉｔｙ  ｍａｎａｇｅｍｅｎｔ  ｆｕｎｃｔｉｏｎ）に接続され、ＮＧ−Ｕインターフェースを介してＵＰＦ（ｕｓｅｒ  ｐｌａｎｅ  ｆｕｎｃｔｉｏｎ）に接続される。
【００２８】
図５は、ＮＲのフレームの構造の一例を示す。
【００２９】
図５を参照すると、ＮＲにおけるＤＬ送信及びＵＬ送信は、１０ｍｓ長のフレーム内で構成される。一つのフレームは、１ｍｓ長の１０個のサブフレームから構成される。各フレームは、２個の同じ大きさのハーフフレーム（ｈａｌｆ−ｆｒａｍｅ）に分けられ、ハーフフレーム０は、サブフレーム０−４から構成され、ハーフフレーム１は、サブフレーム５−９から構成される。搬送波上において、ＵＬで一つのフレーム集合があり、ＤＬで一つのフレーム集合がある。
【００３０】
ＮＲでは、複数のＯＦＤＭヌメロロジー（ｎｕｍｅｒｏｌｏｇｙ）が支援されることができる。複数のヌメロロジーの各々は、互いに異なる副搬送波間隔にマッピングされることができる。例えば、１５ｋＨｚ、３０ｋＨｚ、６０ｋＨｚ、１２０ｋＨｚ及び２４０ｋＨｚの多様な副搬送波間隔にマッピングされる複数のヌメロロジーが支援されることができる。
【００３１】
表１は、各ヌメロロジーに応じる副搬送波間隔及び使用されうるＣＰを表す。表１におけるパラメータμは、各ヌメロロジーを表し、Δｆは、副搬送波間隔を表す。
【００３２】
【表１】
2020522955.tif 000003
【００３３】
サブフレームは、ヌメロロジー及び／または副搬送波間隔によって一つまたは複数のスロットを含むことができる。すなわち、スロットは、サブフレーム内で各ヌメロロジー別に構成される。例えば、副搬送波間隔１５ｋＨｚにマッピングされるヌメロロジーにおいて一つのサブフレームは、一つのスロットを含む。副搬送波間隔３０ｋＨｚにマッピングされるヌメロロジーにおいて一つのサブフレームは、２個のスロットを含む。副搬送波間隔６０ｋＨｚにマッピングされるヌメロロジーにおいて一つのサブフレームは、４個のスロットを含む。副搬送波間隔１２０ｋＨｚにマッピングされるヌメロロジーにおいて一つのサブフレームは、８個のスロットを含む。副搬送波間隔２４０ｋＨｚにマッピングされるヌメロロジーにおいて一つのサブフレームは、１６個のスロットを含む。スロット当たりのＯＦＤＭシンボルの数は、１４個に一定に維持されることができる。サブフレームでのスロットの開始地点は、同じサブフレームでＯＦＤＭシンボルの開始地点と時間上において整列されることができる。表２は、各ヌメロロジーに応じるスロット内のＯＦＤＭシンボル数（Ｎｓｙｍｂｓｌｏｔ）、フレーム内のスロット数（Ｎｓｌｏｔｆｒａｍｅ，μ）、サブフレーム内のスロット数（Ｎｓｌｏｔｓｕｂｆｒａｍｅ，μ）を表す。
【００３４】
【表２】
2020522955.tif 000004
【００３５】
すなわち、図５は、μ＝０，１，２の場合を示す。
【００３６】
スロットに含まれた複数のＯＦＤＭシンボルは、ＤＬシンボル、ＵＬシンボルまたは流動（ｆｌｅｘｉｂｌｅ）シンボルのうち、いずれか一つに分類されることができる。ＤＬスロットにおいて、ＵＥは、ＤＬ送信がＤＬシンボルまたは流動シンボルにおいてのみ発生すると仮定することができる。ＵＬスロットにおいて、ＵＥは、ＵＬシンボルまたは流動シンボルにおいてのみＵＬ送信を行うことができる。スロット内のＯＦＤＭシンボルがＤＬシンボル、ＵＬシンボルまたは流動シンボルのうち、どれで構成されるかによってスロットのフォーマットが決定されることができる。ＵＥは、上位層信号を介してスロットのフォーマットを設定されるか、ＤＣＩを介してスロットのフォーマットを設定されるか、または上位層信号及びＤＣＩの組み合わせに基づいてスロットのフォーマットを設定されることができる。
【００３７】
図６は、ＮＲにおいてサブフレーム構造の一例を示す。図６のサブフレーム構造は、データ送信の遅延を最小化するために、ＮＲのＴＤＤ（ｔｉｍｅ  ｄｉｖｉｓｉｏｎ  ｄｕｐｌｅｘ）システムにおいて使用されることができる。図６のサブフレーム構造をセルフコンテインサブフレーム（ｓｅｌｆ−ｃｏｎｔａｉｎｅｄ  ｓｕｂｆｒａｍｅ）構造と呼ぶことができる。
【００３８】
図６を参照すると、サブフレームの第１番目のシンボルは、ＤＬ制御チャネルを含み、最後のシンボルは、ＵＬ制御チャネルを含む。サブフレームの第２番目のシンボルから第１３番目のシンボルまでは、ＤＬデータ送信のために使用されることもでき、ＵＬデータ送信のために使用されることができる。このように一つのサブフレーム内でＤＬ送信とＵＬ送信が順次に行われると、ＵＥは、一つのサブフレーム内でＤＬデータを受信し、ＵＬ  ＨＡＲＱ−ＡＣＫを送信できる。結果的にデータ送信エラー発生時にデータ再送信までかかる時間が減ることができ、したがって最終データ伝達の遅延を最小化できる。このようなサブフレーム構造において基地局とＵＥが送信モードから受信モードに転換するか、または受信モードから送信モードに転換するためのギャップ（ｇａｐ）が必要でありうる。このために、サブフレーム構造においてＤＬからＵＬに転換される時点の一部のシンボルがガード区間（ＧＰ；ｇｕａｒｄ  ｐｅｒｉｏｄ）として設定されることができる。
【００３９】
ＮＲにおいてＰＤＣＣＨは、一つまたはそれ以上のＣＣＥで構成されることができる。ＰＤＣＣＨは、１、２、４、８または１６個のＣＣＥで構成されるリソースを介して送信されうる。ＣＣＥは、６個のＲＥＧで構成され、一つのＲＥＧは、周波数領域で一つのＲＢ、時間領域で一つのＯＦＤＭシンボルで構成される。
【００４０】
また、ＮＲでは、制御リソース集合（ＣＯＲＥＥＳＴ；ｃｏｎｔｒｏｌ  ｒｅｓｏｕｒｃｅ  ｓｅｔ）という新しい単位が導入されうる。ＵＥは、ＣＯＲＥＳＥＴでＰＤＣＣＨを受信することができる。ＣＯＲＥＳＥＴは、ＵＥ特定制御情報を送信するためのＵＥ特定ＣＯＲＥＳＥＴとすべてのＵＥに共通な制御情報を送信するための共通ＣＯＲＥＳＥＴを含むことができる。
【００４１】
図７は、ＣＯＲＥＳＥＴの一例を示す。図７を参照すると、ＣＯＲＥＳＥＴは、周波数領域でＮＲＢＣＯＲＥＳＥＴ個のＲＢで構成され、時間領域でＮｓｙｍｂＣＯＲＥＳＥＴ∈｛１，２，３｝個のＯＦＤＭシンボルで構成されることができる。ＮＲＢＣＯＲＥＳＥＴ、ＮｓｙｍｂＣＯＲＥＳＥＴは、上位層信号を介してＢＳによって構成されることができる。図６に示すように、ＣＯＲＥＳＥＴは、複数のＣＣＥ（または、複数のＲＥＧ）を含むことができる。ＵＥは、ＣＯＲＥＳＥＴ内において、１、２、４、８または１６個のＣＣＥを単位として、ＰＤＣＣＨ検出を試みることができる。ＰＤＣＣＨ検出を試みることができる一つまたは複数個のＣＣＥをＰＤＣＣＨ候補とすることができる。ＵＥは、複数のＣＯＲＥＳＥＴを設定されることができる。
【００４２】
従来のＬＴＥでの制御領域とＮＲでの相違点は、次の通りである。従来のＬＴＥでの制御領域は、ＢＳが使用するシステム帯域全体にかけて構成された。狭い帯域だけを支援する一部のＵＥ（例えば、ｅＭＴＣ（ｅｎｈａｎｃｅｄ  ｍａｃｈｉｎｅ−ｔｙｐｅ  ｃｏｍｍｕｎｉｃａｔｉｏｎ）ＵＥまたはＮＢ−ＩｏＴ（ｎａｒｒｏｗｂａｎｄ  ｉｎｔｅｒｎｅｔ−ｏｆ−ｔｈｉｎｇｓ）ＵＥ）を除いたすべてのＵＥは、ＢＳが送信する制御情報を正しく受信／デコードするためには、ＢＳのシステム帯域全体の無線信号を受信できなければならなかった。これに対し、ＮＲでは、導入されたＣＯＲＥＳＥＴは、システム帯域全体の代わりに一部だけを使用することができる。ＢＳは、各ＵＥにＣＯＲＥＳＥＴを割り当てることができ、割り当てたＣＯＲＥＳＥＴを介して制御情報を送信できる。すなわち、ＮＲにおいてＵＥは、システム帯域全体を受信しなくても、ＢＳが送信する制御情報を受信することができる。
【００４３】
マルチＲＡＴデュアルコネクティビティ（ｍｕｌｔｉ−ＲＡＴ  ＤＣ（ｄｕａｌ  ｃｏｎｎｅｃｔｉｖｉｔｙ））について説明する。ＮＧ−ＲＡＮは、複数のＲＸ／ＴＸを有したＲＲＣ＿ＣＯＮＮＥＣＴＥＤ内のＵＥが２個の別のスケジューラにより提供された無線リソースを利用するように構成されるマルチＲＡＴデュアルコネクティビティを支援する。マルチＲＡＴデュアルコネクティビティは、Ｅ−ＵＴＲＡデュアルコネクティビティの一般化である。２個の別のスケジューラは、非理想的なバックホールを介して接続した２個の互いに異なるＮＧ−ＲＡＮノードに位置する。２個の互いに異なるＮＧ−ＲＡＮノードのうち一つは、マスターノード（ＭＮ；ｍａｓｔｅｒ  ｎｏｄｅ）の役割をし、残りの一つは、セカンダリーノード（ＳＮ；ｓｅｃｏｎｄａｒｙ  ｎｏｄｅ）の役割をする。すなわち、一つのスケジューラは、ＭＮに位置し、他の一つのスケジューラは、ＳＮに位置する。２個の互いに異なるＮＧ−ＲＡＮノードは、Ｅ−ＵＴＲＡ接続（ＮＧ−ＲＡＮノードがｎｇ−ｅＮＢである場合）またはＮＲ接続（ＮＧ−ＲＡＮノードがｇＮＢである場合）のうち、いずれか一つを提供する。Ｅｎ−ｇＮＢは、ＵＥに向かってＮＲユーザプレーン及び制御プレーンプロトコル終端を提供し、ＥＮ−ＤＣ（Ｅ−ＵＴＲＡＮ−ＮＲ  ｄｕａｌ  ｃｏｎｎｅｃｔｉｖｉｔｙ）からＳＮへ動作するノードである。Ｎｇ−ｅＮＢは、ＵＥに向かってＥ−ＵＴＲＡユーザプレーン及び制御プレーンプロトコル終端を提供し、ＮＧインターフェースを介して５ＧＣに接続するノードである。ＭＮとＳＮは、ネットワークインターフェースを介して互いに接続され、少なくともＭＮは、コアネットワークに接続される。本明細書においてマルチＲＡＴデュアルコネクティビティは、互いに異なるノード間の非理想的なバックホールに基づいて設計されたが、マルチＲＡＴデュアルコネクティビティは、理想的なバックホールの場合にも使用されることができる。
【００４４】
図８は、ＥＮ−ＤＣアーキテクチャーを示す。Ｅ−ＵＴＲＡＮは、ＵＥがＭＮで動作する一つのｅＮＢ及びＳＮで動作する一つのｅｎ−ｇＮＢに接続される、ＥＮ−ＤＣを介したマルチＲＡＴデュアルコネクティビティを支援する。ｅＮＢは、Ｓ１インターフェースを介してＥＰＣに接続され、Ｘ２インターフェースを介してｅｎ−ｇＮＢに接続される。ｅｎ−ｇＮＢは、Ｓ１−Ｕインターフェースを介してＥＰＣに接続されることができ、Ｘ２−Ｕインターフェースを介して他のｅｎ−ｇＮＢに接続されることができる。
【００４５】
５Ｇ  ＣＮもまたマルチＲＡＴデュアルコネクティビティを支援する。ＮＧ−ＲＡＮは、ＵＥがＭＮで動作する一つのｎｇ−ｅＮＢとＳＮで動作する一つのｇＮＢに接続される、ＮＧ−ＲＡＮＥ−ＵＴＲＡ−ＮＲデュアルコネクティビティ（ＮＧＥＮ−ＤＣ）を支援する。ｎｇ−ｅＮＢは、５Ｇ  ＣＮに接続され、ｇＮＢは、Ｘｎインターフェースを介してｎｇ−ｅＮＢに接続される。また、ＮＧ−ＲＡＮは、ＵＥがＭＮで動作する一つのｇＮＢとＳＮで動作する一つのｎｇ−ｅＮＢに接続される、ＮＲ−Ｅ−ＵＴＲＡデュアルコネクティビティ（ＮＥ−ＤＣ）を支援する。ｇＮＢは、５Ｇ  ＣＮに接続され、ｎｇ−ｅＮＢは、Ｘｎインターフェースを介してｇＮＢに接続される。
【００４６】
上述したように、空間ダイバーシチ、送信地点ダイバーシチなどを獲得するために、同一周波数上において互いに異なるＴＲＰ（Ｔｘ／Ｒｘ  ｐｏｉｎｔ）への複数の接続が支援されることができる。ＮＲでもＬＴＥと同様に、デュアルコネクティビティが支援されることができる。以下、本明細書は、ＮＲでデュアルコネクティビティが支援される時、制御信号／データの送信／受信及びデュアルコネクティビティと関連した測定手順について説明する。
【００４７】
１．与えられた時間において単一ＲＸ（ｒｅｃｅｐｔｉｏｎ）だけが可能なデュアルコネクティビティ
【００４８】
ＩＭＤ（Ｉｎｔｅｒｍｏｄｕｌａｔｉｏｎ  ｄｉｓｔｏｒｔｉｏｎ）またはＵＥ能力などの問題によって、デュアルコネクティビティが構成され、二つの搬送波グループ（ＣＧ；ｃａｒｒｉｅｒ  ｇｒｏｕｐ）ともにおいてＵＬが活性化される場合にも、ＵＥは、与えられた時間にただ一つのＵＬ送信だけを行うことができる。このとき、単一ＲＸの特性により、初期接続、ＨＡＲＱ−ＡＣＫ送信、ＳＲＳ（ｓｏｕｎｄｉｎｇ  ｒｅｆｅｒｅｎｃｅ  ｓｉｇｎａｌ）送信などの側面において、デュアルコネクティビティの手順が変更される必要がある。単一ＲＸの必要性を処理するために、次のシナリオが考慮されうる。
【００４９】
１）ＣＧ間にＵＬリソースが半静的に分割され、各ＣＧでのペイロードは、互いに混ざらない。
【００５０】
２）ＣＧ間にＵＬリソースが動的に分割され、各ＣＧでのペイロードは、互いに混ざらない。
【００５１】
３）ＣＧ間にＵＬリソースが動的に分割され、各ＣＧでのペイロードは、互いに混ざることができる。
【００５２】
（１）初期接続手順（すなわち、ＲＡＣＨ（ｒａｎｄｏｍ  ａｃｃｅｓｓ）関連手順）
【００５３】
まず、本発明の一実施形態によるデュアルコネクティビティでの初期接続手順を説明する。ＵＥがただ一つのＣＧのみに接続した場合には、各ＣＧへのＵＬ送信間のいかなるＴＤＭ（ｔｉｍｅ  ｄｉｖｉｓｉｏｎ  ｍｕｌｔｉｐｌｅｘｉｎｇ）方式の多重化を考慮する必要がない。しかしながら、デュアルコネクティビティによって追加ＣＧが構成されると、初期接続手順が次のように考慮されることができる。
【００５４】
−追加ＣＧが構成されＵＥが与えられた時間に単一ＲＸのみを支援すると、一つのＣＧは、他のＣＧによって使用されうるＵＬサブフレームまたはＵＬスロットの集合を構成できる。例えば、ＬＴＥのｅＮＢは、ＮＲによって使用されうるＵＬスロットの集合を構成できる。または、ＮＲのｇＮＢは、ＬＴＥによって使用されうるＵＬサブフレームの集合を構成できる。すなわち、追加ＣＧが活性化される以前にも、ＵＬリソースの半静的な分割が指示されうる。構成された半静的ＵＬリソースは、ＰＲＡＣＨ（ｐｈｙｓｉｃａｌ  ｒａｎｄｏｍ  ａｃｃｅｓｓ  ｃｈａｎｎｅｌ）リソース、ＰＵＣＣＨ／ＰＵＳＣＨリソース、ＳＲＳリソースなどで使用されることができる。二つのＣＧ間のＴＡ（ｔｉｍｉｎｇ  ａｄｖａｎｃｅ）が互いに異なる場合、ＮＲ側に割り当てられたＵＬリソースに留保されたリソースとしてギャップが構成されることができる。例えば、第１ＣＧのＴＡがｋ１で、第２ＣＧのＴＡがｋ２であり（ｋ１＞ｋ２）、スロットｎが第２ＣＧに割り当てられ、スロットｎ＋１が第１ＣＧに割り当てられた場合、スロットｎの最後の少なくとも一つのシンボルは、第１ＣＧのＴＡを収容するために留保されうる。動的リソース共有の場合にも、類似の方法が適用されることができる。動的リソース共有の場合、少なくとも一つのシンボルが潜在的な留保リソースとして構成されることができ、該当リソースを留保するかどうかが動的に指示されることができる。または、ＵＥが互いに異なるＴＡを有したスロットｎ＋１での送信を収容するために、スロットｎでの送信を終了しなければならない必要がある場合、ＵＥの具現化によってＵＥは、パンクチャリング（ｐｕｎｃｔｕｒｉｎｇ）を行うことができる。ＵＥがＴＡを変更することが必要でないか、またはギャップが必要でない場合、すべてのリソースが使用されることができる。ギャップが必要であると、ＵＥは、少なくとも一つのシンボルをパンクチャリングして自律的にギャップを構成できる。
【００５５】
−または、ＰＲＡＣＨまたはＲＡＣＨ手順のＭｓｇ  ３（すなわち、ＲＲＣ接続要求メッセージ）は、半静的なＵＬリソースの分割にかかわらず、いつも送信されうる。これにより、ＰＲＡＣＨの送信機会を保証し、ＲＡＣＨ手順が向上することができる。リソースが他のＣＧに割り当てられた場合、ＵＥは、他のＣＧでデータの送信を省略できる。一つのＣＧでのＰＲＡＣＨ／Ｍｓｇ  ３の送信が他のＣＧでのＰＲＡＣＨ／Ｍｓｇ  ３の送信と衝突する場合、マスターＣＧまたは第１ＣＧの送信が優先されることができる。類似の方法として、ＲＡＣＨ手順のＭｓｇ４（すなわち、衝突解決メッセージ）に対応するＨＡＲＱ−ＡＣＫ送信もやはり、他の送信より優先されることができる。すなわち一般に、半静的なＵＬリソースの分割は、ただデータ及びＳＲＳ関連手順においてのみ適用されることができ、ＰＲＡＣＨ／Ｍｓｇ  ３送信及びそれと関連したＨＡＲＱ−ＡＣＫフィードバックは、半静的なＵＬリソースの分割に関わらず、高い優先順位で送信されうる。
【００５６】
ＰＲＡＣＨ／Ｍｓｇ  ３送信及びそれと関連したＨＡＲＱ−ＡＣＫフィードバックの送信によって省略されたＰＵＳＣＨ／ＰＵＣＣＨは、ＵＬが使用可能になるときに直ちに再送信されうる。また、ＮＲでＰＲＡＣＨの送信機会を保証するために、リソースが最後のシンボル（ＳＲＳシンボルでありうる）に構成されることができる。これを実現するために、ＲＡＣＨ手順が完了する前には、互いに異なるＣＧ間に半静的なＵＬリソースの分割が構成されないことができる。しかしながら、ＲＡＣＨ手順が完了する前にも互いに異なるＣＧ間に半静的なＵＬリソースの分割が構成されることができる。互いに異なるＴＡを有するＵＬ送信間に転換がある場合、上述した方法が適用されることができる。
【００５７】
−または、ＬＴＥのＰＲＡＣＨまたはＲＡＣＨ手順のＭｓｇ  ３（すなわち、ＲＲＣ接続要求メッセージ）は、半静的なＵＬリソースの分割に関係無しでいつも送信されうる。反面に、ＮＲのＰＲＡＣＨまたはＲＡＣＨ手順のＭｓｇ  ３は、リソースがＬＴＥのＵＬ送信によって使用されない時に送信されうる。また、ＮＲ  ＰＲＡＣＨの短い期間がＬＴＥスロットの少なくとも一つのシンボル（例えば、各０．５ｍｓごとに少なくとも一つのシンボル）の周囲に構成されることができ、ＮＲのＰＲＡＣＨ送信がＬＴＥのＵＬ送信と衝突する時に少なくともＬＴＥのＰＵＳＣＨ送信は、パンクチャリングされうる。また、ＬＴＥのＳＲＳは、ＮＲのＰＲＡＣＨ送信と衝突する時に、送信が省略されうる。ＰＵＣＣＨに対しては、ＮＲのＰＲＡＣＨ送信のため、ＬＴＥのＰＵＣＣＨ送信は省略されてはならないか、またはＮＲのＰＲＡＣＨ送信のため、少なくともＬＴＥのＰＵＣＣＨフォーマット１／１ａ／１ｂ／３の送信は省略されないことができる。ＬＴＥの他のＰＵＣＣＨ送信は、ＮＲのＰＲＡＣＨ送信と衝突する時に完全に省略されるか、またはＮＲのＰＲＡＣＨ送信と衝突するシンボルがパンクチャリングされうる。上述した方法がＬＴＥのチャネルとＮＲのＳＲＳ送信の間にも適用されることができる。すなわち、ＬＴＥチャネルの送信は、ＮＲのＳＲＳの送信と衝突するシンボルにおいてパンクチャリングされうる。
【００５８】
（２）ＨＡＲＱ−ＡＣＫ送信
【００５９】
ＬＴＥにおいてＨＡＲＱ−ＡＣＫ送信タイミングは固定される。ＮＲのＨＡＲＱ−ＡＣＫ送信は、ＣＧ間に調整されたＵＬリソースに従うことができる。しかしながら、ＬＴＥがＮＲのＣＧのために調整されたＵＬリソースのうち、一つから潜在的にＨＡＲＱ−ＡＣＫ送信を引き起こすデータを送信する必要がありうる。
【００６０】
割り当てられないＵＬリソース（半静的なＵＬリソースの分割が構成される場合）においてＨＡＲＱ−ＡＣＫ送信を引き起こすＤＬ送信は許容されないことができる。このとき、ＵＥは、ＤＬ受信を処理することができ、その代わりにいかなるＨＡＲＱ−ＡＣＫフィードバックも送信しない。ＤＬ送信に対するＨＡＲＱ−ＡＣＫフィードバックを受信していないネットワークは、再送信を行わないことができる。または、ＨＡＲＱ−ＡＣＫフィードバックは、ＮＲ側において半静的に分割されたＵＬリソースが使用されない時においてのみ送信されうる。すなわち、半静的なＵＬリソースの分割によって、各スロットまたは各リソースにおいて各ＣＧに優先順位が割り当てられ、該当スロットまたはリソースが優先順位を有したＣＧ（第１ＣＧ）によって使用されないと、該当スロットまたはリソースは、優先順位を有さないＣＧ（第２ＣＧ）によって使用されうる。このとき、第２ＣＧの送信が第１ＣＧの送信の一つ以上のスロットにかけられると、該当スロットまたはリソースは、第１ＣＧのすべてのリソースが第１ＣＧによって使用されない時においてのみ第２ＣＧによって使用されうる。
【００６１】
すなわち、半静的なＵＬリソースの分割が構成されると、各ＵＬリソースに対して優先順位を有した第１ＣＧが定義されうる。また、ＵＬリソースの特定集合に対しては、第１ＣＧが定義されないことができる。このとき、ＭＣＧ（ｍａｓｔｅｒ  ｃｅｌｌ  ｇｒｏｕｐ）が高い優先順位を有するか、または送信するチャネルに基づいて各ＣＧが同じ優先順位を有することができる。第１ＣＧのリソースは、第１ＣＧによって使用されない場合、第２ＣＧによって使用されうる。第２ＣＧがリソースを使用するために、すべてのリソースが第１ＣＧによって使用されてはならない（または、一部リソースだけが第２ＣＧによって使用されうる）。これは、ＨＡＲＱ−ＡＣＫ送信だけでなく、他のＵＣＩ（ｕｐｌｉｎｋ  ｃｏｎｔｒｏｌ  ｉｎｆｏｒｍａｔｉｏｎ）／データ／ＳＲＳ送信にも適用されることができる。すなわち、上述した方法は、すべてのＵＬ送信に一般に適用されることができる。
【００６２】
第１ＣＧの現在スロットｎでＵＬ送信が存在しているかどうかを決定する時、処理時間、互いに異なるヌメロロジー及びＴＴＩなどが考慮される必要がある。例えば、ＬＴＥのＣＧが現在サブフレームを使用しようとする時、ＮＲ  ＣＧで使用されるヌメロロジーによって（例えば、６０ｋＨｚ）、サブフレームの中間でＵＬスケジューリングが発生できる。さらに他の例として、ＮＲのＣＧが現在スロットを使用しようとする時、ＬＴＥが短いＴＴＩ基盤のＵＬ送信をスケジューリングできる。また、セルフコンテインサブフレームを考慮すると、ＵＬ送信がいつも発生できる。このような場合、特定サブフレームまたはスロットが第１ＣＧによって使用されるかどうかを確実に決定し難い。これを解決するために、第２ＣＧがＵＬ送信を開始しても、中間に第１ＣＧのＵＬ送信を感知すると、第２ＣＧの送信のためのリソースがパンクチャリングされうる。
【００６３】
上述した方法は、一般性を失わずにＮＲ−ＮＲ  ＤＣ／ＣＡにも同様に適用されることができる。
【００６４】
または、一つのＵＬ搬送波において二つのＣＧのチャネルが全部送信されうる。例えば、ＵＥが一つのＣＧでＰＵＣＣＨ／ＰＵＳＣＨの同時送信が可能な場合、一つのＣＧのＰＵＣＣＨと他のＣＧのＰＵＳＣＨが同時に送信されうる。また、他のＣＧのＰＵＳＣＨは、ＵＣＩとともに送信されうる（または、ＵＣＩは、ＰＵＳＣＨと類似のＰＵＣＣＨフォーマット上に送信されうる）。他のＣＧのＰＵＳＣＨのためのリソース割り当ては、半静的に構成されるか、またはＤＣＩを介して動的に割り当てられることができる。例えば、ＬＴＥ  ＣＧのＰＵＣＣＨ送信とＮＲ  ＣＧのＰＵＣＣＨまたはＰＵＳＣＨ送信が同じリソースで衝突する場合、次の事項が考慮されうる。
【００６５】
１）ＬＴＥ  ＵＬ搬送波でＰＵＣＣＨ／ＰＵＳＣＨの同時送信が可能な場合
【００６６】
−ＬＴＥのＰＵＣＣＨ送信がある場合、ＮＲのＰＵＣＣＨは、ＬＴＥのＵＬスペクトルを介して送信されうる。ＮＲのＰＵＳＣＨは、ＬＴＥのＰＵＳＣＨと類似のＰＵＣＣＨフォーマット上に送信されうる。このために、少なくとも一つのＮＲのＰＵＣＣＨフォーマットがＰＵＳＣＨ構造に基づいて行われることができる。このためのリソース割り当ては、半静的に構成されるか、またはＤＣＩを介して動的に割り当てられることができる。
【００６７】
−ＬＴＥのＰＵＳＣＨ送信がＮＬのＵＬチャネルと衝突する場合、ＵＥがマルチクラスタ（ｍｕｌｔｉ−ｃｌｕｓｔｅｒ）ＰＵＳＣＨを支援すると、ＵＥは、ＬＴＥのＰＵＳＣＨとＮＲのＰＵＳＣＨをマルチクラスタＰＵＳＣＨを使用して送信できる。このために、マルチクラスタＰＵＳＣＨが構成されるとしても、各ＣＧは、単独でマルチクラスタスケジューリングをスケジュールしなくても良い。他のＣＧのためのリソース割り当ては、半静的に構成されるか、またはＤＣＩを介して動的に割り当てられることができる。または、ＵＥは、互いに異なるマッピングを使用してＮＲのＵＣＩをＬＴＥのＰＵＳＣＨにピギーバック（ｐｉｇｇｙｂａｃｋ）できる。ＵＣＩピギーバックは、ＬＴＥのＰＵＳＣＨをパンクチャリングして行われることができる。
【００６８】
２）または、ＵＥがいつもＰＵＤＣＣＨ／ＰＵＳＣＨの同時送信が可能で、各ＣＧでマルチクラスタ送信が構成されることができる。このような場合、次の動作が考慮されうる。
【００６９】
−あるサブフレームでＬＴＥのＰＵＣＣＨ送信とＮＲのＰＵＣＣＨ送信が発生すると、ＵＥは、ＬＴＥのＰＵＣＣＨとＮＲのＰＵＣＣＨを共に送信できる。これは、ＬＴＥのＰＵＳＣＨと類似のＰＵＣＣＨフォーマット上に送信されうる。または、ＰＵＣＣＨがスケジュールされた搬送波が送信搬送波として使用されることができる。このとき、二つのＣＧが全部ＰＵＣＣＨ送信を有すると、ＭＣＧが選択されて使用されることができる。ＮＲのＰＵＣＣＨフォーマットは、期間、開始シンボル、ヌメロロジーなどの側面で、ＵＬ搬送波のＲＡＴタイプに従うことができる。すなわち、ＬＴＥのＵＬ搬送波が選択されると、ＬＴＥのフォーマットが使用されることができる。また、互いに異なるＴＴＩ区間を扱うために、ＬＴＥの短いＴＴＩは、ＵＥが短いＴＴＩを支援する時に使用されることができる。例えば、ＮＲのＵＬ搬送波が３０ｋＨｚの副搬送波間隔を使用し、ＬＴＥのＵＬ搬送波が１５ｋＨｚの副搬送波間隔を使用する場合、ＮＲのＵＬ送信は、ＬＴＥのＵＬ搬送波で一つのスロットの短いＴＴＩを介して行われることができる。
【００７０】
−あるサブフレームにおいてＬＴＥのＰＵＳＣＨ送信とＮＲのＰＵＣＣＨ送信が発生すると、ＬＴＥのＰＵＳＣＨは、ＮＲのＵＬ搬送波で送信されうる。ＮＲにおいて短いＰＵＣＣＨが使用される場合、ＬＴＥのＰＵＳＣＨとＮＲのＰＵＣＣＨは、ＴＤＭ方式で多重化されうる。ＬＴＥのＰＵＳＣＨは、ＮＲのＵＣＩを運ぶことができ、このとき、ＬＴＥでＰＵＳＣＨだけが送信されうる。また、ＬＴＥのＰＵＳＣＨがＬＴＥのＵＣＩをピギーバックする場合、ＬＴＥでのＵＬ送信は、ＰＵＳＣＨと類似のＮＲ  ＰＵＣＣＨフォーマットを使用したマルチクラスタＰＵＳＣＨを介して送信されうる。
【００７１】
−あるサブフレームにおいてＬＴＥのＰＵＳＣＨ送信とＮＲのＰＵＳＣＨ送信が発生すると、マルチクラスタＰＵＳＣＨ送信を使用してＬＴＥのＵＬ搬送波でＬＴＥのＰＵＳＣＨとＮＲのＰＵＳＣＨが全部送信されうる。上述したように、ＬＴＥの短いＴＴＩが互いに異なるヌメロロジーを処理するために使用されることができる。
【００７２】
一方、ＬＴＥのＳＲＳ送信を保護するために、ＮＲのＰＵＣＣＨ／ＰＵＳＣＨは、パンクチャリングされたフォーマットで送信されうる。または、ＬＴＥのＳＲＳリソース（すなわち、セル固有に構成されたＳＲＳリソース）は、ＮＲのＵＬ送信のために留保されうる。
【００７３】
または、ＵＬ共有を含むＤＣが活性化されうる。
【００７４】
図９は、本発明の一実施形態によるＵＬ共有を含むＤＣを示す。図９−（ａ）は、ＬＴＥとＮＲとの間の一般的なＤＣを示す。帯域１にＬＴＥのＤＬ搬送波とＵＬ搬送波が存在し、帯域２にＮＲのＤＬ搬送波とＵＬ搬送波が存在する。ＬＴＥのＤＬ搬送波とＵＬ搬送波は、組になったスペクトル（ｐａｉｒｅｄ  ｓｐｅｃｔｒｕｍ）であり、ＮＲのＤＬ搬送波とＵＬ搬送波もやはり、組になったスペクトルである。図９−（ｂ）は、ＵＬ共有を含むＤＣを示す。ＮＲのＤＬ搬送波と対をなすＮＲのＵＬ搬送波が使用される代わりに、ＬＴＥのＵＬ搬送波がＮＲのＵＬ送信のために使用される。
【００７５】
一方、ＮＲのＮＳＡ（ｎｏｎ−ｓｔａｎｄａｌｏｎｅ）動作のために、与えられた時間に一つのＵＬ搬送波だけが活性化されうる。これを支援するために、次の事項が考慮されうる。
【００７６】
１）ＵＬリソースは、ＬＴＥとＮＲとの間に半静的に分割され、各ＲＡＴでのＵＬ送信は、各割り当てられたＵＬリソースにおいてのみ発生できる。
【００７７】
２）ＵＬリソースは、ＵＣＩタイプ及び／またはＣＧを基盤とする優先順位及びスケジューリングを基盤として、ＬＴＥとＮＲとの間で動的に使用されることができる。または、各ＵＬリソースがどのＵＬリソースを収容することができるかが動的に選択されることができる。ＵＣＩタイプ及び／またはＣＧを基盤とする優先順位は、潜在的な衝突を防止するために必要でありうる。これは、各ＣＧでの互いに異なる処理時間により、スケジューリングによる衝突の防止が容易でないためである。
【００７８】
３）ＬＴＥ−ＮＲのＤＣは、ＣＡ（ｃａｒｒｉｅｒ  ａｇｇｒｅｇａｔｉｏｎ）と同様に処理されることができる。すなわち、ＵＣＩとデータが二つのＣＧ間に集成されうる。
【００７９】
半静的なＵＬリソースの分割に対してより詳細に説明する。一回に一つのＵＬ搬送波だけを活性化する最もやさしい方法は、ＬＴＥとＮＲとの間にＵＬリソースを半静的に分割することである。ＬＴＥがサブフレーム基盤のＵＬ送信を要求するので、サブフレームの一部の集合がＮＲに割り当てられ、残りのサブフレームがＬＴＥに割り当てられることができる。ＮＲに割り当てられたサブフレームにおいてＰＵＣＣＨまたはＰＵＳＣＨなどのＬＴＥのＵＬ送信がスケジュールされると、ＵＥは、該当サブフレームでＮＲのＵＬ送信が存在しているかどうかに関わらず、ＬＴＥのＵＬ送信を省略できる。省略を最小化するために、基準ＨＡＲＱタイミングが構成されることができる。例えば、ＦＤＤにおいて、ＰＣｅｌｌ（ｐｒｉｍａｒｙ  ｃｅｌｌ）がＴＤＤである場合のＦＤＤ−ＴＤＤ  ＣＡのＨＡＲＱタイミングが使用されることができ、ＴＤＤ  ＤＬ／ＵＬ構成での同じＵＬサブフレームが選択されることができる。例えば、ＵＬサブフレーム２／３／４／７／８／９がＬＴＥに割り当てられると、ＴＤＤ  ＤＬ／ＵＬ構成０がＨＡＲＱ−ＡＣＫタイミングのために使用されることができる。ＰＵＳＣＨに対しては、スケジューリングが衝突を防止できる場合、一般的なＨＡＲＱ−ＡＣＫタイミングが使用されることができる。すなわち、たとえ単一搬送波であるとしても、ＨＡＲＱ−ＡＣＫ動作の観点において、ＤＬは、ＦＤＤ搬送波として、ＵＬは、ＴＤＤ搬送波として見なされることができる。
【００８０】
ＬＴＥのＴＤＤ搬送波とＮＲのＦＤＤ搬送波とがＤＣを介して接続すると、ＮＲのＵＬ送信は、ＬＴＥのＵＬ送信がないサブフレームに制限されることができる。ＬＴＥのＴＤＤ搬送波とＮＲのＴＤＤ搬送波とがＤＣを介して接続すると、ＮＲのフレーム境界を遷移してＮＲのＵＬ送信とＬＴＥのＵＬ送信とが重なるのを最小化できる。
【００８１】
上述した動作は、ＤＣを構成する時にネットワークによって構成されることができる。ＬＴＥのＵＬ搬送波とＮＲのＵＬ搬送波が共有されると、互いに異なるＲＡＴペイロードを処理するための動作が必要でありうる。また、特定メカニズムが上位層によって構成されることができ、構成によってＵＥは、互いに異なる動作を行うことができる。また、ＨＡＲＱ−ＡＣＫが他のＣＧの送信にピギーバックされることができる。ピギーバックは、該当他のＣＧのＲＡＴタイプに従うことができる。
【００８２】
（３）ＳＰＳ（ｓｅｍｉ−ｐｅｒｓｉｓｔｅｎｔ  ｓｃｈｅｄｕｌｉｎｇ）を含むデータ送信
【００８３】
データスケジューリングのために、ＣＧ間のリアルタイムまたは半静的な調整が必要でありうる。これにより、データ送信がＴＤＭ方式で多重化されうる。調整を最小化するために、各ＣＧのペイロードがあたかも単一ＵＬ送信のように集成されてカプセル化（ｅｎｃａｐｓｕｌａｔｅ）できる。以上のように結合されたペイロードのＲＡＴタイプは、下記のように定義されうる。
【００８４】
−いつもＭＣＧのＲＡＴタイプに従うことができる。
【００８５】
−半静的なＵＬリソースの分割に基づいて、割り当てられたＵＬリソースのための第１ＣＧのＲＡＴタイプに従うことができる。該当ＵＬリソースに割り当てられた第１ＣＧがないと、ＭＣＧのＲＡＴタイプに従うことができる。
【００８６】
−いつもＮＲのＲＡＴタイプに従うことができる。
【００８７】
−ＳＲＳのＲＡＴタイプに従うことができる。すなわち、現在ＵＬリソースがＬＴＥのＳＲＳを送信すると、データ送信は、ＬＴＥに従い、現在ＵＬリソースがＮＲのＳＲＳを送信すると、データ送信は、ＮＲに従うことができる。
【００８８】
ＲＡＴタイプに基づいて、リソース及び送信パラメータが各ＲＡＴタイプに従うことができる。
【００８９】
同様に、二つのＣＧ間にＭＡＣ（ｍｅｄｉａ  ａｃｃｅｓｓ  ｃｏｎｔｒｏｌ）が共有されると、ＭＡＣ手順／プロトコル（例えば、ＲＡＴタイプ）も次のように決定されることができる。
【００９０】
−いつもＭＣＧのＲＡＴタイプに従うことができる。
【００９１】
−半静的なＵＬリソースの分割に基づいて、割り当てられたＵＬリソースのための第１ＣＧのＲＡＴタイプに従うことができる。該当ＵＬリソースに割り当てられた第１ＣＧがないと、ＭＣＧのＲＡＴタイプに従うことができる。
【００９２】
−いつもＮＲのＲＡＴタイプに従うことができる。
【００９３】
ＲＡＴタイプは、各ベアラ別に割り当てられることができ、割り当てられたＲＡＴタイプだけが与えられたベアラ送信に使用されることができる。例えば、一つのベアラに対してＬＴＥとＮＲが全て構成されることができ、このような場合、該当ベアラからのデータは、ＬＴＥとＮＲ全部を介して送信されうる。一つのベアラに対してＬＴＥだけが構成された場合、該当ベアラからのデータは、ＮＲだけを介して送信されうる。
【００９４】
タイマーなどを維持するにおいて、ＣＧ間に独立したタイマーが使用されることができる。
【００９５】
（４）ＳＲＳ送信
【００９６】
上述したＵＣＩ／データ送信と類似の方法がＳＲＳ送信にも適用されることができる。しかしながら、ＳＲＳは、他のＣＧのＵＣＩまたはデータ送信にリソースを譲歩するために送信が省略されうる。例えば、第１ＣＧのＵＬリソースを介してただＳＲＳだけが送信され、他のＣＧにおいてデータ及び／またはＵＣＩの送信がある場合、ＵＥは、他のＣＧの送信のためにＳＲＳの送信を省略できる。二つのＣＧ間にＭＡＣが共有される場合、第１ＣＧにおいてデータ及び／またはＵＣＩの送信がないとしても、第１ＣＧでデータ及び／またはＵＣＩが送信されうる。すなわち、ＳＲＳは、他のＣＧを介して迂回できず、構成されたとおりにのみ送信されうる。反面に、データ及び／またはＵＣＩは、ＭＡＣが共有される場合、他のＣＧを介して迂回できる。二つのＣＧ間のＵＬ送信の衝突を処理するために、データ及び／またはＵＣＩが迂回する場合、これは、まず試みられることができる。調整以後に衝突がないと、ＵＬ送信が完了することができる。また、二つのＣＧ間に衝突があると、ＳＲＳは、低い優先順位を有することができ、他のＣＧのＵＬ送信がＳＲＳの送信されないことによって完了することができる場合、ＳＲＳの送信は、他のＣＧのＵＬ送信のために省略されうる。
【００９７】
または、各ＲＡＴタイプのＳＲＳリソースは、半静的に構成されることができ、各ＲＡＴのＵＬ送信は、構成されたＳＲＳリソース周囲でレートマッチングされるか、またはパンクチャリングされうる。ＬＴＥの側面において、半静的に構成されたセル固有ＳＲＳリソースは、ＮＲのＵＬ送信によってレートマッチングされるか、またはパンクチャリングされうる。ＮＲの側面において、半静的に構成されたＳＲＳリソースは、ＬＴＥ／ＮＲのＵＬ送信のために留保されたリソースとして見なされることができる。ＬＴＥの動作を変更しないために、ＮＲのＳＲＳリソースは、ＬＴＥのセル固有に構成されるＳＲＳリソースと整列されるように構成されることができる。また、ＮＲの非周期的ＳＲＳリソースのために、一つのＣＧの非周期的ＳＲＳは、ＵＥが異なるＣＧでＵＬ送信があると省略されうる。効率的な共有のために、ＬＴＥにもＨＡＲＱ−ＡＣＫタイミング及びＰＵＳＣＨ送信タイミングの動的な指示が支援されうる。
【００９８】
一方、ＮＳＡ動作において一回に一つのＵＬ搬送波だけが活性化される時、次のＤＣシナリオが考慮されうる。
【００９９】
図１０は、本発明の一実施形態による単一ＵＬ送信のためのＤＣシナリオを示す。図１０−（ａ）は、一般的なＤＣシナリオである。ＬＴＥ帯域において互いに異なる周波数を有するＵＬ搬送波とＤＬ搬送波が存在し（すなわち、ＦＤＤ）、ＮＲ帯域のＮＲ搬送波においてＮＲのＤＬ／ＵＬ送信が行われる（すなわち、ＴＤＤ）。図１０−（ｂ）は、補助ＵＬ（ＳＵＬ；ｓｕｐｐｌｅｍｅｎｔａｌ  ＵＬ）搬送波とＵＬ共有を含むＤＣシナリオである。すなわち、ＮＲがＬＴＥのＵＬ搬送波をＮＲのＳＵＬ搬送波としてＬＴＥと互いに共有する。ＬＴＥのＵＬ搬送波内において、ＬＴＥのＵＬ送信とＮＲのＵＬ送信は、ＦＤＭまたはＴＤＭ方式で多重化されうる。図１０−（ｃ）は、ＳＵＬ搬送波を含むＤＣシナリオである。すなわち、ＮＲが追加的なＬＴＥのＵＬ搬送波をＮＲのＳＵＬ搬送波として使用する。
【０１００】
以下、図１０において説明された各ＤＣシナリオに対して、単一ＵＬ搬送波の活性化と関連したＵＥ動作を説明する。
【０１０１】
１）シナリオ１：図１０−（ａ）の一般的なＤＣシナリオ
【０１０２】
この場合、ＬＴＥのＦＤＤ搬送波とＮＲのＴＤＤ搬送波がデュアルコネクティビティされるか、またはＬＴＥのＦＤＤ搬送波とＮＲのＦＤＤ搬送波（ただし、部分データ／短いＰＵＣＣＨ送信のようなＴＤＤと類似のＦＤＤ動作を含む）がデュアルコネクティビティされることができる。
【０１０３】
図１１は、本発明の一実施形態によるＬＴＥとＮＲのデュアルコネクティビティによるＵＬ送信を示す。ＮＲのＣＧがＤＬ中心またはＵＬ中心のスロット構造のＴＤＤ動作を使用し、二つのＣＧ間に互いに異なるヌメロロジーが使用されることができる場合、ＮＲのＵＬ送信のためにサブフレームの一部リソースだけが必要である。図１１のＬＴＥ／ＮＲのサブフレーム／スロット構造が使用されると、スロットｍでのＮＲのＵＬ送信のために、サブフレームｎ全体がＬＴＥのＵＬ送信のために使用されないことがありうる。特に、スロットｍ＋４及びｍ＋５では、ＮＲのＵＬ送信のために非常に小さな部分だけが必要であるにもかかわらず、全体サブフレームがＬＴＥのＵＬ送信のために使用されない場合もありうる。
【０１０４】
図１２は、本発明のさらに他の実施の形態によるＬＴＥとＮＲのデュアルコネクティビティによるＵＬ送信を示す。以上のような問題点を解決するために、ＬＴＥで短いＴＴＩ動作を適用し、ＮＲのＵＬ送信と重なるサブフレームでも短いＴＴＩ基盤のＵＬ送信が行われることができる。すなわち、ＬＴＥとＮＲとの間のＵＬリソース分割がサブフレームレベルでないＬＴＥの短いＴＴＩレベルで行われることができる。図１２を参照すると、ＬＴＥのＵＬ送信が短いＴＴＩ（例えば、２シンボル）に基づいてスケジュールされ、ＬＴＥとＮＲとの間のＵＬリソース分割もやはり、短いＴＴＩに基づいて行われる。これにより、スロットｍ＋４及びｍ＋５では、全体サブフレームがＬＴＥのＵＬ送信のために使用されることができない代わりに、ＮＲのＵＬ送信と重なる短いＴＴＩでのＵＬ送信だけが行われない場合がありうる。
【０１０５】
これを支援するために、ＮＲのＣＧは、自身が意図するスロット構造に対する情報をＬＴＥのＣＧに知らせることができる。これにより、ＬＴＥのＣＧは、ＣＧ間にＵＬリソースを分割できる。分割されたＵＬリソースに基づく半静的または動的ＵＬリソース共有によって、ＵＬ送信がスケジュールされ行われることができる。
【０１０６】
定理すると、ＬＴＥ  ＣＧとＮＲ  ＣＧとの間にＴＤＭが考慮される場合、短いＴＴＩ基盤の動作が使用されることができる。短いＴＴＩに基づいてＵＬリソース分割は、特にＮＲがＤＬ／ＵＬ中心スロットを有してＴＤＤと類似の動作を導入する時に使用されることができる。ＮＲがＦＤＤを使用する場合にも、フレーム構造は、あたかもＴＤＤのように部分ＤＬ及び部分ＵＬを使用することができる（特に、ＨＤ（ｈａｌｆ−ｄｕｐｌｅｘ）ＦＤＤの場合）。よって、ＬＴＥとＮＲとの間の短いＴＴＩ基盤のＵＬリソース共有が許容される必要がある。
【０１０７】
２−１）シナリオ２−１：図１０−（ｂ）のＴＤＭを介したＵＬ共有を含むＤＣシナリオ
【０１０８】
ＬＴＥとＮＲとの間にＵＬ搬送波が共有されるので、ＵＬ送信のための同じヌメロロジーが考慮されることができる。このとき、ＵＬリソース分割は、サブフレームレベルで行われることが好ましくありうる。ＬＴＥ側における影響を最小化するために、ＴＤＤ  ＰＣｅｌｌとＦＤＤ  ＤＬ  ｏｎｌｙ  ＳＣｅｌｌ（ｓｅｃｏｎｄａｒｙ  ｃｅｌｌ）がＣＡを介して集成される場合と同様に、ＦＤＤ−ＴＤＤ  ＣＡフレームワークがＬＴＥにおいてそのまま使用されることができる。
【０１０９】
また、ＬＴＥのＵＬリソースとＮＲのＵＬリソースがＴＤＭ方式で多重化されるので、ＰＲＡＣＨ送信に対する考慮が必要でありうる。ＲＡＣＨ節に影響を及ぼさない為に、ＲＡＣＨ関連ＵＬ送信は、他のＵＬ送信に比べて高い優先順位を有することができる。すなわち、ＰＲＡＣＨ／Ｍｓｇ  ３送信は、ＵＬリソース分割に関わらずいつも送信されうる。
【０１１０】
２−２）シナリオ２−２：図１０−（ｂ）のＦＤＭを介したＵＬ共有を含むＤＣシナリオ
【０１１１】
ＬＴＥのＵＬリソースとＮＲのＵＬリソースがＦＤＭ方式で多重化される場合、帯域内の連続したＵＬ  ＣＡと同様に取り扱われることができる。
【０１１２】
３）シナリオ３：図１０−（ｃ）のＳＵＬ搬送波を含むＤＣシナリオ
【０１１３】
リソース整列及びＨＡＲＱ−ＡＣＫ／ＰＵＳＣＨ送信タイミングの側面において、上述したシナリオ２−１と同様に取り扱われることができる。
【０１１４】
短いＴＴＩと関連したＵＥ動作についてさらに詳細に説明する。ＬＴＥ／ＮＲが使用するデュプレックスモードに関わらず、短いＴＴＩのために次の事項が考慮されうる。これは、ＬＴＥのＵＬ送信とＮＲのＵＬ送信との間に半静的なＴＤＭ方式の多重化が使用される時に、ＬＴＥ側において短いＴＴＩをより効率的に処理するためである。一方、一般ＴＴＩと短いＴＴＩが全部スケジューリングによって処理されることができる。次の事項は、ＬＴＥ側においてＵＥがＴＤＭパターンを指示される場合に適用されることができる。
【０１１５】
１）ＬＴＥのＰＵＣＣＨ／ＰＵＳＣＨ送信のために使用されるサブフレームの集合がＴＤＤ  ＤＬ／ＵＬ構成の一つとして指示されることができる。ＰＵＣＣＨ送信の側面において、ＰＵＳＣＨとＨＡＲＱ−ＡＣＫタイミングは、構成されたＴＤＤ  ＤＬ／ＵＬ構成に従うことができる。ＴＤＤ  ＤＬ／ＵＬ構成に従う構成されたＵＬサブフレーム内で短いＴＴＩの集合が短いＴＴＩのために使用可能なＵＬリソースとして見なされることができる。また、ＴＤＤ  ＤＬ／ＵＬ構成に従う構成されたＤＬサブフレーム内において短いＴＴＩの集合が構成されることができ、これは、ＬＴＥの短いＴＴＩのために使用されることができる。短いＴＴＩタイミングは、従来のタイミングをそのまま従うことができる。例えば、ＦＤＤの場合、ｎ＋ｋが使用されることができる（ｋは、常数）。すなわち、対応する短いＴＴＩのＵＬリソースが存在しないと、ＵＥは、ＤＬ送信またはＵＬグラントを期待しないことができる。または、新しいタイミングが定義されうる。短いＰＵＣＣＨまたは短いＰＵＳＣＨは、従来のタイミングによってｎ＋ｋ以後に初めて使用可能な短いＴＴＩのＵＬリソースを介して送信されうる。
【０１１６】
２）短いＴＴＩ動作のために潜在的に使用されうるように、短いＴＴＩの集合が別に指示されうる。例えば、サブフレームごとに一つの短いＴＴＩのＵＬリソースが構成されることができ、６個の短いＴＴＩのＤＬリソース（短いＴＴＩが２シンボルである場合）または２個の短いＴＴＩのＤＬリソース（短いＴＴＩが７シンボルである場合）が１ｍｓごとに少なくとも一つの短いＴＴＩのＵＬリソースにマッピングされうる。タイミングは、従来の短いＴＴＩのタイミングに従うか、または新しいタイミングが定義されうる。短いＰＵＣＣＨまたは短いＰＵＳＣＨは、従来のタイミングによってｎ＋ｋ以後に初めて使用可能な短いＴＴＩのＵＬリソースを介して送信されうる。開始シンボル及び期間がＰＵＳＣＨのために動的に指示されない場合、ＵＥは、開始シンボルを短いＴＴＩのためのリソースの次のシンボルとして仮定することができる。または、ＮＲ  ＵＬ送信のために、ＬＴＥの短いＴＴＩに割り当てられたリソースを除外するか、または再使用することを動的に指示するための動的指示が支援されうる。
【０１１７】
一方、上述した方法と類似の方法がＤＬ搬送波とＵＬ搬送波がＴＤＭ方式で多重化される場合にも適用されることができる。
【０１１８】
一般に、ＬＴＥ側において単一送信の短いＴＴＩ動作を支援するために、次の事項が考慮されうる。ＵＥが従来のＰＵＳＣＨ／ＰＵＣＣＨ送信のためにＴＤＤ  ＤＬ／ＵＬ構成を指示された場合、ＬＴＥに割り当てられたＵＬリソースだけが短いＴＴＩ動作のために使用されることができる。また、短いＴＴＩタイミングが維持されることができる。すなわち、短いＰＵＣＣＨは、ｎ＋ｋ以後に送信されうる（ＦＤＤにおいて、短いＴＴＩの長さに応じてｋ＝４または６／ＴＤＤでは、他の値）。短いＴＴＩの長さが７シンボルであるとき、ＦＤＤ−ＴＤＤ  ＣＡ場合のＨＡＲＱ−ＡＣＫ表が存在しないので、短いＴＴＩにおいてＵＬと関連されないＤＬリソースは、短いＰＤＳＣＨまたは短いＰＵＳＣＨ送信のために使用されないことができる。これは、ＳＰＳを含むことができる。
【０１１９】
または、新しいタイミングが考慮されることができる。ＬＴＥがＨＡＲＱ−ＡＣＫタイミングに基づいてＴＤＤ  ＤＬ／ＵＬで構成される場合、ただ７シンボルの短いＴＴＩが支援されることができる。ＦＤＤ−ＴＤＤ  ＣＡの場合のＨＡＲＱ−ＡＣＫ表は、基準構成と共にすべてのＤＬサブフレームに拡張されることができる。または、新しいタイミングに対して２シンボル及び７シンボルの短いＴＴＩが支援されうる。７シンボルの短いＴＴＩは、上述した方法に従うことができ、２シンボルの短いＴＴＩのための新しいタイミングは、ＦＤＤ−ＴＤＤ  ＣＡの場合のＨＡＲＱ−ＡＣＫタイミング表に基づいて新しく生成されることができる。または、２シンボル及び７シンボルの短いＴＴＩとも新しいタイミングを有し、短いＰＵＣＣＨまたは短いＰＵＤＳＣＨ送信のために対応する短いＴＴＩのＵＬリソースが存在しない場合、初めて使用可能な短いＴＴＩのＵＬリソースが使用されることができる。
【０１２０】
ＬＴＥのＤＬ搬送波とＵＬ搬送波との間のＴＤＭ方式の多重化が使用されると、ＵＥへのスケジューリングが制限されることができる。ＤＬのためのＴＤＭパターンを指示することによって、ＣＡがＵＥに構成される場合、ＨＡＲＱ−ＡＣＫビットの数が減少できる。すなわち、ＵＥは、干渉イシューによって使用から除外されるＤＬサブフレームのためのＨＡＲＱ−ＡＣＫビットを除外できる。各搬送波の該当サブフレームは、ＨＡＲＱ−ＡＣＫビットを計算するにおいて除外され、これによりＨＡＲＱ−ＡＣＫビットの全体の大きさを削減できる。
【０１２１】
動的ＵＬリソース共有が行われる時に単一ＵＬ送信について説明する。ＵＬリソースが半静的に分割されるかどうかに関わらず、ＵＥは、スケジューリング及び構成に基づいてＵＬ送信を行うことができる。ｅＮＢとｇＮＢが共存するか、理想バックホール（ｉｄｅａｌ  ｂａｃｋｈａｕｌ）を介して接続した場合、ＵＬリソースを半静的に分割するよりは、ＵＬリソースを動的に分割して共有することが考慮されうる。動的ＵＬリソースの分割／共有が使用されると、リソース活用の側面において次の事項が考慮されうる。
【０１２２】
１）初めてスケジュールされた送信は、いつも優先順位を有することができる。ＵＥがＵＬ送信をスケジュールされると、以後にスケジューリングされたＵＬ送信に応じてまずスケジュールされたＵＬ送信が省略されることができない。このとき、緊急性の有無にかかわらず、短い処理時間を有するＣＧは、他のＣＧからリソースを持ってくることができない。また、このような優先順位は、ＣＧ間には適用されずに、ＣＧ内でチャネルの間においてのみ適用されることができる。
【０１２３】
２）互いに異なるチャネル間に衝突が発生すると、ＵＣＩタイプ及び／またはＣＧに基づいて優先順位が決定されることができる。低い優先順位を有するチャネルの送信は、省略／中断されうる。既に送信中であるチャネルの送信は、省略／中断されない場合がありうる。しかしながら、このような方法は、ｅＮＢとｇＮＢが非理想バックホールを介して接続した場合には、ｅＮＢとｇＮＢがＵＥによってどちらの側が選択されたかが分からないから、非効率的でありうる。
【０１２４】
３）二つのＣＧ間にリソースが分割されることができ、割り当てられたリソース内でＣＧが高い優先順位を有することができる。衝突が発生すると、第１ＣＧのチャネルが優先順位を有することができる。すなわち、第１ＣＧで使用されないリソースは、第２ＣＧによって使用されることができる。このような方法は、ｅＮＢとｇＮＢが非理想バックホールを介して接続した場合に適用されることができ、少なくとも割り当てられたリソース上のスケジューリングは保証されることができる。
【０１２５】
色々な事項を考慮すると、ＮＲのＵＬ送信のために割り当てられたＵＬリソースの集合がＵＥに指示されることができ、残りのＵＬリソースでは、ＬＴＥのＵＬ送信が優先順位を有することができる。リソースがＣＧに割り当てられると、与えられたＵＬリソースで該当ＣＧは、第１ＣＧと定義されうる。また、与えられたＵＬリソースで二つのチャネルが互いに衝突すると、第１ＣＧのチャネルが優先順位を有することができる。
【０１２６】
２．ＣＧ間のＵＬスペクトルを共有するＤＣ
【０１２７】
図１３は、本発明の一実施形態によるＵＬスペクトルを共有するＤＣのシナリオを示す。図１３を参照すると、ＮＲのＤＬ搬送波は、６ＧＨｚ以上の帯域（例えば、２８ＧＨｚ）に位置し、ＮＲのＵＬ搬送波は、６ＧＨｚ以下の帯域（例えば、１．８ＧＨｚ）に位置する。すなわち、ＮＲのＤＬ搬送波とＵＬ搬送波が互いに異なる帯域に位置する。また、ＮＲのＵＬ搬送波は、ＬＴＥのＵＬ搬送波と同じスペクトルを共有する。ＵＬ共有は、ＦＤＭまたはＴＤＭ方式のうち、いずれか一つの方式に従うことができる。また、ＵＥが互いに異なる周波数帯域でＮＲのＤＬ／ＵＬ搬送波と接続する場合に、追加に、ＵＥがＤＣを介してＬＴＥと接続されると、ＴＡ（ｔｉｍｉｎｇ  ａｄｖａｎｃｅ）の整列、波形の整列などのような追加的な問題が考慮される必要がある。
【０１２８】
ＬＴＥとＮＲがＦＤＭ方式で多重化される場合、ＬＴＥのＵＬ搬送波とＮＲのＵＬ搬送波は、帯域内で搬送波が集成されることができる。ＬＴＥとＮＲがＴＤＭ方式で多重化される場合、上述した「１．与えられた時間で単一ＲＸ（ｒｅｃｅｐｔｉｏｎ）だけが可能なデュアルコネクティビティ」で説明された方法が適用されることができる。
【０１２９】
ＵＥ能力または制限だけでなく、二つのＲＡＴタイプの同時ＵＬ送信が効率的でないカバレッジでのＵＥ電力問題などにより、ＴＤＭ方式のＵＬリソースの共有が考慮されうる。しかしながら、ＴＤＭ方式のＵＬリソースの共有は、特定ＰＵＣＣＨフォーマットまたはＵＣＩなどの特定チャネルに対してのみ適用されることができる。すなわち、一つのＣＧがＰＵＣＣＨまたはＵＣＩを有するＰＵＳＣＨを送信する必要がある時、ＴＤＭ方式の多重化が考慮され、反面、一般的なデータ及びＳＲＳの送信に対しては、ＦＤＭ方式の多重化が考慮されうる。すなわち、多重化の制限は、特定チャネルの集合または特定ＵＣＩタイプに適用されるか、または全的にネットワークスケジューリングによる。
【０１３０】
ＬＴＥのＵＬ搬送波とＮＲのＵＬ搬送波が同じＵＬスペクトルにおいてＦＤＭ方式で多重化される場合、次の２通りの場合が考慮されうる。
【０１３１】
１）ＬＴＥのＵＬ搬送波とＮＲのＵＬ搬送波が重ならない。すなわち、ＬＴＥのＵＬ搬送波とＮＲのＵＬ搬送波間の完全なＦＤＭが可能である。しかしながら、これを支援するために、ＬＴＥ側においてＵＬ搬送波と同じＤＬ搬送波が要求されることができる。これは、ＬＴＥ側においてＤＬ搬送波帯域幅を制限できる。
【０１３２】
２）ＮＲのＵＬ搬送波は、ＬＴＥのＵＬ搬送波／スペクトル内に位置できる。すなわち、ＮＲのＵＬ搬送波は、ＬＴＥのＵＬ搬送波／スペクトルと部分的にまたは完全に重なることができる。ＬＴＥのＰＵＣＣＨ送信を妨害しないために、ＮＲのＵＬ搬送波は、ＬＴＥのＵＬ搬送波において境界部分を避けて定義されることができる。ＮＲのＵＬ搬送波がＬＴＥのＵＬ搬送波／スペクトル内に位置する場合、ＮＲのＵＬ搬送波の帯域幅は、ＬＴＥのＵＬ搬送波の帯域幅と同一でありえ、ＮＲのＵＬ送信（例えば、ＰＵＣＣＨ／ＰＵＳＣＨ）は、ＮＲのＵＬ搬送波内でスケジューリング及び／または構成によって動的にスケジューリングされることができる。または、特定周波数領域がＮＲのＵＬリソースで半静的に割り当てられることができる。
【０１３３】
（１）ＴＡ処理
【０１３４】
ＤＬスペクトルに関わらず、ＴＡは、ＬＴＥ／ＮＲ間のタイミング差が特定値以下に管理されうるように整列されなければならない。ＬＴＥ／ＮＲでＤＬタイミングが互いに異なりうるので、これを解決するために次の事項が考慮されうる。
【０１３５】
−ＬＴＥ／ＮＲに同じ周波数が構成され、互いに異なるＤＬスペクトルに対してＵＬスペクトルにＮＲだけが構成される場合、ＵＥは、ＬＴＥのＤＬタイミングのみに基づいてＴＡを適用できる。このとき、ＮＲ  ＣＧに対してＲＡＣＨ手順は、支援されないことができる。すなわち、このような動作が構成されると、ＵＥは、ＮＲセルに向かってＲＡＣＨ手順を行わないことができる。また、ＤＬタイミングの側面において、ＵＥは、ＬＴＥ／ＮＲでタイミングを維持するものの、ＴＡを適用する基準としてＬＴＥのＤＬタイミングを使用することができる。
【０１３６】
−ＬＴＥ／ＮＲ間のＴＡ調整を基盤として、ＵＥは、各セル別にＴＡを個別に適用できる。例えば、ＬＴＥとＮＲ間のタイミングオフセットがネットワークによって測定でき、ＴＡがＮＲセルによって指示される時に調整されることができる。
【０１３７】
−ネットワークは、どの方法を適用するかどうかを構成できる。
【０１３８】
ＵＥのＵＬ搬送波／周波数が再構成され、ＬＴＥとＮＲが同じＵＬ周波数上に共存すると、ＬＴＥ／ＮＲ間の共通チャネルが仮定されうる。すなわち、ＮＲ側における個別のＲＡＣＨ手順は行われないことができる。
【０１３９】
（２）波形処理
【０１４０】
ＬＴＥとＮＲの同時ＵＬ送信が発生するごとに、ＬＴＥの波形（すなわち、ＤＦＴ−ｓ（ｄｉｓｃｒｅｔｅ  Ｆｏｕｒｉｅｒ  ｔｒａｎｓｆｏｒｍ  ｓｐｒｅａｄ）−ＯＦＤＭ）が使用されることができる。これは、ＬＴＥ／ＮＲ間の共通チャネルが仮定された場合に適用されることができる。それとも、ＮＲは、半静的または動的に構成された波形を使用することができる。また、ＬＴＥとＮＲの同時ＵＬ送信が発生すると、ＰＡＰＲ（ｐｅａｋ−ｔｏ−ａｖｅｒａｇｅ  ｐｏｗｅｒ  ｒａｔｉｏ）を減らすために、次の手順が考慮されうる。
【０１４１】
−ＬＴＥ  ＰＵＣＣＨ／ＮＲ  ＰＵＣＣＨの同時送信：ＮＲ  ＰＵＣＣＨの位置がＫ  ＰＲＢ分だけ遷移できる。また、周波数ホッピングがＬＴＥのＰＵＣＣＨに整列されることができる。Ｋは、上位層によって構成されるか、またはＵＥによって自律的に決定されることができる。これは、ＬＴＥ／ＮＲのＰＵＣＣＨ送信が互いに連続するようにするためである。
【０１４２】
−ＬＴＥ  ＰＵＣＣＨ／ＮＲ  ＰＵＳＣＨの同時送信：動的スケジューリングによってＬＴＥのＰＵＣＣＨとＮＲのＰＵＳＣＨが互いに隣接できる。ＳＰＳ  ＰＵＳＣＨの場合、上述したＬＴＥ  ＰＵＣＣＨ／ＮＲ  ＰＵＣＣＨの場合と類似の方法が適用されるか、またはＳＰＳ  ＰＵＳＣＨの周波数位置は変更されないことができる。
【０１４３】
−ＬＴＥ  ＰＵＳＣＨ／ＮＲ  ＰＵＳＣＨの同時送信：ネットワークスケジューリングに基づくことができる。
【０１４４】
図１４は、本発明の一実施形態によるＬＴＥ／ＮＲのＰＵＣＣＨ送信の一例を示す。図１４の実施形態は、ＰＡＰＲを最小化するためのＬＴＥ／ＮＲのＰＵＣＣＨ同時送信を示す。図１４を参照すると、ＮＲのＰＵＣＣＨ送信がＬＴＥのＰＵＣＣＨ送信と隣接するようスケジューリングされるか、または遷移されることができる。ＮＲのＰＵＣＣＨが送信されるリソースにおいてＬＴＥのＰＵＣＣＨ送信が存在できるので、このように動作は、潜在的にカバレッジイシューが存在するＵＥ（すなわち、ＰＡＰＲ減少が必要なＵＥ）に対してのみ構成されることができる。
【０１４５】
特に、ＬＴＥ／ＮＲの同時送信があるごとに、波形を含むＮＲのＰＵＣＣＨ／ＰＵＳＣＨ送信フォーマットは、ＬＴＥフォーマットでフォールバック（ｆａｌｌｂａｃｋ）できる。例えば、ＬＴＥのＰＵＣＣＨフォーマット１または３と完全に同じＮＲのＰＵＣＣＨフォーマットが存在できる。これは、ＬＴＥのＰＵＣＣＨとＮＲのＰＵＣＣＨ間の多重化を効率的に許容するためである。また、より効率的な多重化のために、ＮＲ  ＰＵＣＣＨのためにＨＡＲＱ−ＡＣＫリソースインデックスが動的または半静的に指示されうる。
【０１４６】
（３）ＴＤＭ／ＦＤＭ動的転換
【０１４７】
ＰＨＲ（ｐｏｗｅｒ  ｈｅａｄｒｏｏｍ  ｒｅｐｏｒｔｉｎｇ）またはＵＥトリガーに基づいて、ネットワークは、ＬＴＥとＮＲとの間の多重化方式をＦＤＭとＴＤＭとの間で転換できる。このような転換が適用されると、ＴＤＭ方式の多重化がＰＵＣＣＨ／ＰＲＡＣＨ送信だけに適用されるか、またはすべてのＵＬ送信に適用されるかもやはり、明確になりうる。
【０１４８】
３．同じ周波数でのＤＣ
【０１４９】
（１）制御チャネル受信
【０１５０】
ＵＥは、一つのスロットで一つ以上の制御チャネルを期待することができる。しかしながら、ＵＥの処理電力が制限されうる。各制御チャネルは、同一スロットスケジューリングまたはクロススロットスケジューリングを行うことができる。ＵＥが単一制御チャネルを受信すると期待する場合にも、ＵＥは、複数の制御チャネルを受信することができる。このとき、一つの制御チャネルは、一つの同一スロットスケジューリングを行い、他の制御チャネルは、一つのクロススロットスケジューリングを行うことができる。すなわち、ＵＥは、一つ以上の制御チャネルを受信すると期待することができ、その代わりに各制御チャネルは、各スロットに最大一つのデータチャネルをスケジュールできる。
【０１５１】
一方、ＵＥは、互いに異なるヌメロロジーまたは互いに異なるＴＴＩ長（例えば、ミニスロット基盤スケジューリング）を有する他のデータのスケジューリングもやはり支援できる。したがって、ＵＥが一つ以上のデータチャネル受信を支援すると（例えば、スロット基盤／ミニスロット基盤スケジューリングを全部支援することによって、または複数のデータチャネル受信を支援することによって）、ＵＥは、一つのスロットで一つ以上のデータチャネルを処理できる。しかしながら、最大ＴＢＳ（ｔｒａｎｓｐｏｒｔ  ｂｌｏｃｋ  ｓｉｚｅ）またはレイヤの数は、ＵＥ最大能力と同じであるか、それより小さくなければならない。すなわち、帯域内の連続したＣＡを通さない同じ周波数でのＤＣにおいて、ＵＥの処理電力は、二つのＣＧ／搬送波の間で共有できる。ＵＥのブラインドデコード能力もまた、二つのＣＧ／搬送波の間で共有できる。上述したように、ＵＥ能力を二つのＣＧ／搬送波の間で共有でき、半静的または動的に二つのＣＧ／搬送波の間で調整が行われることができる。ＵＥの観点において、ＵＥは、自身の能力を超える処理をする必要がない。したがって、ＵＥがこのような動作で構成されると、一つのＴＲＰ上の前の処理が減少できる。しかしながら、ＵＥがＣＡ能力を支援すると、ＵＥがこのような動作のためにＣＡ能力を使用することもできる。このために、ＲＦ（ｒａｄｉｏ  ｆｒｅｑｕｅｎｃｙ）及び基底帯域に対するＵＥ能力は、別に指示されることができ、このような動作が使用される場合、基底帯域に対するＵＥ能力が共有されうる。
【０１５２】
特に、ＵＥが複数のＲＦで広帯域搬送波を支援すると、次の手順が考慮されうる。
【０１５３】
−ＵＥが一つの周波数で一つセルによってサービスを受ける場合（すなわち、同じ周波数で複数のセルにかけてＤＣが構成されない）、全帯域幅を拡張するためにＵＥの複数のＲＦが一つのセルに向かって使用されることができる。
【０１５４】
−同じ周波数で複数のセルにかけてＤＣが構成されることによって、ＵＥがセルを転換することが要求される場合、ＵＥの複数のＲＦは、同じ周波数領域で使用されることができる。または、各ＲＦは、各々一つのセルと接続して、各ＲＦが使用される周波数領域は、セル別に互いに異なりうる。すなわち、ＤＣが構成されると、各ＲＦは、搬送波で互いに異なる周波数領域に接続できる。または、一つのＲＦは、二つのセルを全部支援し、複数のＲＦは、二つのセルにかけて広帯域動作を支援できる。
【０１５５】
上述した方法は、同期化状態に応じて選択されて適用されることができる。例えば、同期状態において各ＲＦは、搬送波で互いに異なる周波数領域に接続するか、または一つのＲＦは、二つのセルを全部支援し複数のＲＦは、二つのセルにかけて広帯域動作を支援できる。非同期状態においてＵＥの複数のＲＦは、同じ周波数領域で使用されることができる。
【０１５６】
帯域幅調整が使用されると、少なくとも制御チャネル受信に対して、二つのＴＲＰがＵＥに制御チャネルを送信すると、制御チャネルのための帯域幅は、各ＴＲＰからのＣＯＲＥＳＥＴを全部含むように構成される必要がある。これは、ＣＯＲＥＳＥＴが一つ以上のＴＲＰのために構成されるかどうかに関わらず、制御チャネルのためのＵＥ  ＲＦ／基底帯域を構成されたＣＯＲＥＳＥＴの合計集合で定義することによって実現されることができる。
【０１５７】
または、ＴＲＰによって互いに異なるＢＷＰ（ｂａｎｄｗｉｄｔｈ  ｐａｒｔ）がＵＥに構成されることができる。これは、特にＴＲＰ間に互いに異なる中心周波数が使用される時に必要である。
【０１５８】
ＵＥが制御チャネル／データを受信するために、２個のＴＲＰと接続すると、各ＴＲＰからのＮＲ搬送波の中心周波数及び帯域幅がＴＲＰ間に互いに異なるように構成されることができる。このような場合、ＵＥは、複数のＤＣ（ｄｉｒｅｃｔ  ｃｕｒｒｅｎｔ）トンを指示されることができ、一つ以上のＤＣトンが各スロットで使用されることができる。
【０１５９】
（２）ＢＷＰ
【０１６０】
図１５は、本発明の一実施形態によるＢＷＰ構成の一例を示す。ＵＥが一つの搬送波内で帯域幅調整を行うと、測定結果によってより良い品質を有するとなりのセルのＳＳ（ｓｙｎｃｈｒｏｎｉｚａｔｉｏｎ  ｓｉｇｎａｌ）ブロックを検出できる。図１５を参照すると、該当ＳＳブロック周囲のＢＷＰは、ターゲットセルで構成されることができる。
【０１６１】
ＵＥが複数のＢＷＰで構成され、各ＢＷＰは、各セルにマッピングされ、複数のＢＷＰが活性化されると、全体ＲＦ帯域幅が各ＢＷＰより大きくなることができる。ＵＥが複数のＢＷＰを同時に支援できる場合、ネットワークは、ＵＥにＤＣを構成してはならない。すなわち、ＵＥが複数のセルで互いに異なるＢＷＰに接続するために、ＵＥに要求される総帯域幅は、ＵＥの帯域幅能力より小さくなければならない。ＤＣが構成される時にＵＬ搬送波の側面において、ＴＤＭ方式を介したＵＬリソースの共有が使用されることができる。ＦＤＭ方式を介したＵＬリソースの共有が使用されると、二つのＣＧ間に同じＴＡが使用されるか、またはＵＥは、潜在的に互いに異なりうるＵＬ送信タイミングを有する帯域内のＣＡを処理できなければならない。
【０１６２】
４．ＣＡまたはＭＡＣレベルの集成を介した単一ＴＸ処理
【０１６３】
図１６は、本発明の一実施形態による二つのＣＧ間のＭＡＣレベルでの共有を示す。単一ＴＸを処理するために、二つのＣＧ間にＭＡＣ個体が共有されうる。
【０１６４】
二つのＣＧ間にＭＡＣが共有される場合、単一に活性化されたＵＬ搬送波を介した制御チャネル／データの送信は、次の事項を考慮できる。まず、ＵＥがＰＲＡＣＨを送信する必要がある場合、ＰＲＡＣＨは、他のチャネルに比べて高い優先順位を有することができる。ＵＥは、ＰＲＡＣＨ送信のために他のチャネルの送信を省略できる。また、各サブフレーム（または、二つのＣＧの搬送波間においてより長い長さを有するスロット）において、ＵＥは、ＵＬデータ／制御チャネルを送信するための第１ＵＬ搬送波を決定できる。第１ＵＬ搬送波は、次の事項を考慮して決定されることができる。
【０１６５】
−半静的なＵＬリソースの分割によって、第１ＣＧは、各サブフレーム別に決定されることができる。半静的なＵＬリソースの分割は、基準ヌメロロジーのスロットに基づいてまたは二つのＣＧのうち、より大きなスロットに基づいてまたは１５ｋＨｚの副搬送波間隔に基づいてまたはサブフレームに基づいて行われることができる。
【０１６６】
−第１ＣＧは、ＰＵＣＣＨまたはＵＣＩ送信が発生するＣＧで決定されることができる。二つのＣＧが全部ＵＣＩ送信を有すると、ＭＣＧが第１ＣＧと定義されることができる。二つのＣＧが全部ＵＣＩ送信を有さないで二つのＣＧが全部ＰＵＳＣＨ送信を有さないと、ＭＣＧが第１ＣＧと定義されることができる。サブフレームの開始地点においていずれか一つのＣＧだけがＵＬ送信を有すると、該当ＵＬ送信を有するＣＧが第１ＣＧと定義されることができる。
【０１６７】
−第１ＣＧは、いつもＭＣＧと定義されることができる。
【０１６８】
−第１ＣＧは、いつもＳＣＧと定義されることができる。
【０１６９】
−各ＣＧの最小ＲＴＴ（ｒｏｕｎｄ  ｔｒｉｐ  ｔｉｍｅ）が各サブフレームで第１ＣＧを決定するのに使用されることができる。より長い処理時間またはより長い最小ＲＴＴを有するＣＧに基づいて、サブフレームｎでスケジュールされたＵＬ送信があると、より長い処理時間またはより長い最小ＲＴＴを有するＣＧが第１ＣＧと定義されることができる。他のサブフレームでは、他のＣＧが第１ＣＧと定義されることができる。一つのＣＧが複数の処理時間を有すると、第１ＣＧは、複数の処理時間単位によって定義されることができる。例えば、ＭＣＧがサブフレームＴＴＩを基準にｎ＋４のタイミング及び２シンボルの短いＴＴＩを基準にｎ＋４のタイミングを支援し、ＳＣＧが３０ｋＨｚの副搬送波間隔（１サブフレームＴＴＩに対応）においてスロットを基準にｎ＋２のタイミングを支援すると、処理時間の順序は、サブフレームでのｎ＋４、スロットでのｎ＋２、２シンボルの短いＴＴＩのｎ＋４でありうる。サブフレームｋにおいて、サブフレームでのｎ＋４のタイミングによるスケジュールされたＵＬ送信がないと、スロットでのｎ＋２のタイミングを基盤とするＵＬ送信があるかどうかがチェックされる。スロットでのｎ＋２のタイミングを基盤とするＵＬ送信があると、該当サブフレームでの第１ＣＧは、ＳＣＧになることができる。スロットでのｎ＋２のタイミングを基盤とするＵＬ送信がないと、該当サブフレームでの第１ＣＧは、ＭＣＧになることができる。すなわち、第１ＣＧは、互いに異なる処理時間を複数回考慮して決定されることができる。または、充分の処理時間を保証するために、第１ＣＧは、最も短い処理時間または最も短いＲＴＴを有するＣＧと定義されることができる。
【０１７０】
第１ＣＧに基づいて、すべてのＵＬ送信が第１ＣＧ上において行われることができる。第１ＣＧのＲＡＴタイプに基づいてＭＡＣは、ペイロードを送信できる。二つのＲＡＴのＵＣＩが同じサブフレーム／スロットから発生すると、第１ＣＧでないＣＧでのＵＣＩ送信は省略されうる。または、ＵＣＩは、第１ＣＧ上のＰＵＳＣＨにピギーバックされうる。
【０１７１】
図１７及び図１８は、本発明の一実施形態によるＵＬ送信を示す。上述した方法が図１７及び図１８に示されている。
【０１７２】
ＣＧ間のＵＣＩピギーバックが支援されないと、第１ＣＧでないＣＧ上のＵＣＩは省略されうる。二つのＣＧ間にＭＡＣが共有されると、これは、ＣＡと同様に取り扱われることができる。すなわち、データは、一つのＰＵＳＣＨに集成されることができ、衝突は、優先順位規則によって処理されることができる。ＣＡとの差異は、ＵＬ搬送波間の同時送信が支援されないという点である。一方、本発明は、ＣＡにも一般性を失わないながら適用されることができる。二つのＣＧ間にＭＡＣが共有されないとしても、互いに異なる処理時間を有する互いに異なるチャネル間の衝突を防止するために、本発明が適用されることができる。優先順位規則は、次のとおりでありうる。
【０１７３】
−短い処理時間または短いＲＴＴまたは短いＴＴＩがより高い優先順位を有することができる。より低い優先順位を有するチャネル上のＵＣＩは、より高い優先順位を有するチャネルにピギーバックされうる。
【０１７４】
−ＭＣＧがより高い優先順位を有することができる。
【０１７５】
−ＳＣＧがより高い優先順位を有することができる。
【０１７６】
−ＣＧ間の優先順位は、上位層によって構成されることができる。
【０１７７】
一般に、単一活性化ＵＬ送信のためにＣＡ方式またはＭＡＣ共有が使用されると、次の事項が考慮されうる。これは、ＤＣ構成に関わらず、ＤＣでｅＮＢとｇＮＢまたは２個のｇＮＢが共存するか、または理想バックホールを介して接続した場合に適用されることができる。または、ただＵＬだけが影響を受けるので、ｅＮＢとＤＬ  ｇＮＢは、共存するか、または理想バックホールを介して接続されないことができる。バックホールに対する仮定に基づいて、少なくともｅＮＢとｇＮＢは、ＵＬに対したスケジューリング情報を知っていると仮定できる。しかしながら、ｅＮＢとｇＮＢは、ＵＬに対したスケジューリング情報を知らないと仮定できる。
【０１７８】
第１ＣＧのチャネルＡと第２ＣＧのチャネルＢが衝突する場合、次の事項が考慮されうる。
【０１７９】
（１）ＴＤＭ方式
【０１８０】
このとき、チャネルＡとチャネルＢは、同時に送信されない。与えられた時間に優先順位に基づいてチャネルＡまたはチャネルＢのうち、いずれか一つが送信されうる。優先順位は、次の通りに定義されうる。
【０１８１】
−ＵＣＩタイプ基盤の優先順位規則：例えば、ＳＲ＝ＨＡＲＱ−ＡＣＫ＞非周期的ＣＳＩ（ｃｈａｎｎｅｌ  ｓｔａｔｅ  ｉｎｆｏｒｍａｔｉｏｎ）＞非周期的ＳＲＳ＞ＰＵＳＣＨ＞周期的ＣＳＩ＞周期的ＳＲＳの順にＵＣＩタイプに応じる優先順位が定義されうる。
【０１８２】
−処理時間またはＴＴＩ長さ基盤の優先順位規則：より短い処理時間またはより短いＴＴＩがより長い処理時間またはより長いＴＴＩより高い優先順位を有することができる。
【０１８３】
−上位層によって構成／定義された優先順位規則：上位層は、各ＣＧで互いに異なるチャネル間の優先順位を予め構成または定義することができる。例えば、第１ＣＧでのＨＡＲＱ−ＡＣＫを含むＰＵＳＣＨ／ＰＵＣＣＨ＞第２ＣＧでのＨＡＲＱ−ＡＣＫを含むＰＵＳＣＨ／ＰＵＣＣＨ＞第１ＣＧでの非周期的ＣＳＩ＞第２ＣＧでの非周期的ＣＳＩ＞第１ＣＧでのＰＵＳＣＨ＞第２ＣＧでのＰＵＳＣＨ＞非周期的ＳＲＳ（第１ＣＧを先に）＞周期的ＣＳＩ（第１ＣＧを先に）＞周期的ＳＲＳ（第１ＣＧを先に）の順に優先順位が予め構成または定義されうる。
【０１８４】
−ＵＣＩタイプとＣＧの組み合わせ基盤の優先順位規則：例えば、上述したＵＣＩタイプ基盤の優先順位規則が適用され、同じＵＣＩタイプに対しては、第１ＣＧが第２ＣＧより高い優先順位を有することができる。
【０１８５】
−進行中の送信：送信が既に始まったとすれば、該当送信は、中断されることができない。送信が始まらなかったとすれば、優先順位規則に基づいて、該当送信の省略が考慮されることができる。
【０１８６】
低い優先順位を有するチャネルに対しては、次の事項が考慮されうる。
【０１８７】
−全体送信省略
【０１８８】
−重なる部分及び必要なＴＡ／転換調整ギャップにおいてのみ送信省略
【０１８９】
−高い優先順位を有するチャネルと重なるスロットにおいてのみ送信省略
【０１９０】
−フォーマット及び／または送信の期間及び／または送信のタイミング変更：衝突を防止するために、低い優先順位を有するチャネルの送信期間及び／またはタイミングが調整されることができる。低い優先順位を有するチャネルのタイプ及び／または送信期間／タイミングを変更するために、低い優先順位を有するチャネルまたは対応するデータ（例えば、ＨＡＲＱ−ＡＣＫのためのＰＤＳＣＨ）をＤＣＩを介してスケジュールする時、２個のフォーマットタイプ及び／または時間／周波数リソースが指示されうる。第１構成は、高い優先順位を有するチャネルと衝突がない時に使用されることができる。衝突が発生すると、第２構成が使用されることができる。二構成ともにおいて衝突が発生すると、低い優先順位を有するチャネルは、後述する方法によって処理されることができる。
【０１９１】
低い優先順位を有するチャネルの内容によって、次のように処理されることができる。
【０１９２】
−ＳＲ：低い優先順位を有するチャネルが高い優先順位を有するチャネルより処理時間が短いと、ＳＲは、高い優先順位を有するチャネルにピギーバックされうる。または、低い優先順位を有するチャネルが高い優先順位を有するチャネルより処理時間が長いと、ＳＲは、高い優先順位を有するチャネルにピギーバックされうる。類似の方式がＨＡＲＱ−ＡＣＫ及び非周期的ＣＳＩに適用されることができる。
【０１９３】
−周期的ＣＳＩ：省略できる。
【０１９４】
−非周期的ＳＲＳ：ピギーバックされることができないので省略できる。
【０１９５】
−周期的ＳＲＳ：ピギーバックされることができないので省略できる。
【０１９６】
−データ：処理時間が許容すると、ネットワークスケジューリング／上位層スケジューリングによって処理されうる。それとも、データ送信は省略されうる。
【０１９７】
（２）ＵＣＩピギーバック
【０１９８】
ＵＣＩピギーバックが他のＣＧのチャネルで考慮されると、より長い処理時間またはより長いＴＴＩを有するＣＧ  ＡのＵＣＩがＣＧ  Ｂのチャネルにピギーバックされうる。
【０１９９】
ＣＧ  ＡのＵＣＩがＣＧ  ＢのＰＵＣＣＨにピギーバックされる場合、多くのペイロードを含むことができるＰＵＣＣＨフォーマットが使用されることができる。一般に、長いＴＴＩからのＵＣＩが短いＴＴＩ送信に含まれうる短いＴＴＩ動作で使用される方法がここにそのまま適用されることができる。このために、ＵＥは、複数のＰＵＣＣＨリソースを指示されることができ、ＰＵＣＣＨフォーマットまたは他のＣＧのＵＣＩがピギーバックされるかどうかによって、一つのＰＵＣＣＨリソースが選択されることができる。例えば、他のＣＧのＵＣＩがピギーバックされない場合には、ＰＵＣＣＨフォーマット１ａ／１ｂと類似のフォーマットが使用されることができ、他のＣＧのＵＣＩがピギーバックされる場合には、ＰＵＣＣＨフォーマット３と類似のフォーマットが使用されることができる。ＰＵＣＣＨフォーマットによってリソース（時間／周波数リソース及びＨＡＲＱ−ＡＣＫリソースインデックス）が互いに異なりうる。したがって、ネットワークは、スケジューリング時に二つのリソースを全部指示できる。または、ネットワークがピギーバックされることを知っている場合、ＰＵＣＣＨフォーマット３と類似のフォーマットのためのリソースだけを指示できる。または、一つ以上のリソースが指示されうる。例えば、ＨＡＲＱ−ＡＣＫに対して、２個のリソースが指示されうる。ＣＳＩピギーバックは、周期的ＣＳＩ構成に基づいて構成されることができる。また、非周期的ＣＳＩのために複数のリソースが指示されることができる。
【０２００】
ＣＧ  ＡのＵＣＩがＣＧ  ＢのＰＵＳＣＨにピギーバックされる場合、上述した方法と類似の方法が適用されることができる。ただし、リソース位置を含むピギーバックメカニズムにおいて、自身のＵＣＩと他のＣＧからのＵＣＩとの間の互いに異なるマッピングが考慮されうる。
【０２０１】
５．半二重（ＨＤ；ｈａｌｆ−ｄｕｐｌｅｘ）ＤＬ及びＵＬでのＤＣ
【０２０２】
ＤＣのための帯域組み合わせ（ＬＴＥ−ＮＲのＤＣ、ＮＲ−ＮＲのＤＣ、ＮＲ搬送波のＣＡを含む）のさらに他の考慮事項として、ＵＬ周波数（例えば、ｆ１）とＤＬ周波数（例えば、ｆ２≒２＊ｆ１）との間の高調波（ｈａｒｍｏｎｉｃｓ）が考慮される必要がある。このとき、ＵＬの高調波がＤＬ受信に影響を及ぼすことができる。一般に高調波が深刻でないと、これは、ＭＣＳ（ｍｏｄｕｌａｔｉｏｎ  ａｎｄ  ｃｏｄｉｎｇ  ｓｃｈｅｍｅ）を減らすか、または他の具現化技術によって処理されることができる。ＤＣが構成される低複雑度（ｌｏｗ−ｃｏｍｐｌｅｘｉｔｙ）のＵＥを考慮すると、低い周波数のＵＬと高い周波数のＤＬとの間の半二重モードが考慮されることができる。半二重モードに応じて、一つのＣＧでのＵＬ搬送波と他のＣＧでのＤＬ搬送波が必要である。特に、ＣＧが非理想バックホールを介してデュアルコネクティビティされると、ＤＬとＵＬとの間の調整が必要でありうる。上述したように、半二重モードが構成された場合にも、半静的または動的のリソース分割／共有が考慮されることができる。ただし、ＤＬとＵＬとの間のリソース分割において、測定、追跡などの側面において、次のように追加的に考慮しなければならない事項がありうる。
【０２０３】
（１）半静的リソース分割：一つのＣＧのＤＬと他のＣＧのＵＬとの間に半静的なリソース分割が使用されると、ＵＥは、半静的なリソース分割に対して指示されることができ、ＵＥは、構成されたＤＬリソース上において測定を行うことを期待することができる。一つのＣＧの測定信号が周期的に送信されると、半静的リソース分割は、周期的に送信される測定リソースをカバーできなければならない。ＤＬリソースの副集合を指示するために、ＴＤＤ  ＤＬ／ＵＬ構成がＵＥに提供されることができる。ＵＥは、ＤＬまたはＤｗＰＴＳ（ｄｏｗｎｌｉｎｋ  ｐｉｌｏｔ  ｔｉｍｅ  ｓｌｏｔ）が一つのＣＧのＤＬのために使用され、ＵＬまたはＵｐＰＴＳ（ｕｐｌｉｎｋ  ｐｉｌｏｔ  ｔｉｍｅ  ｓｌｏｔ）が他のＣＧのＵＬのために使用されると期待することができる。ＧＰは、ＤＬとして使用されることができる。
【０２０４】
一つのＣＧがＦＤＤを使用すると、これは、ＵＬサブフレーム／スロットより少ない数のＤＬサブフレーム／スロットが存在することを意味する。ＮＲにおいて、これは、マルチＴＴＩスケジューリングによって処理されることができる。ＬＴＥでもやはり、マルチＴＴＩスケジューリングによって処理される必要がある。または、これは、ＵＬインデックスに基づいて処理されることができる。または、ＴＤＤ−ＦＤＤ  ＣＡのクロス搬送波スケジューリングのフレームワークが使用されることができる。すなわち、ＰＣｅｌｌがＴＤＤを使用しＵＬ搬送波がＦＤＤ  ＳＣｅｌｌのように取り扱われる場合と似ていることができる。ＰＵＳＣＨ送信のために、ＴＤＤ−ＦＤＤ  ＣＡのクロス搬送波スケジューリング（ＵＬインデックスを含む）のフレームワークが使用されることができる。
【０２０５】
一つのＣＧがＴＤＤを使用すると、同じＴＤＤ  ＤＬ／ＵＬ構成または現在のＴＤＤ  ＤＬ／ＵＬ構成に含まれるＤＬまたはＤｗＰＴＳを含むＴＤＤ  ＤＬ／ＵＬ構成が指示されることができる。このとき、他のＣＧでのＵＬ送信は、ＤＬまたはＤｗＰＴＳでない部分を使用することができる。ＧＰは、他のＣＧのＵＬ送信のために使用されることができる。
【０２０６】
（２）動的リソース分割：一つのＣＧのＤＬ受信がない場合においてのみ他のＣＧでのＵＬ送信が許容されることができる。例えば、測定またはスケジュールされたＰＤＳＣＨがない場合、少なくともＰＤＳＣＨ部分は、ＵＬ送信のために使用されることができる。すなわち、ＵＬ送信は、ＤＬスケジューリングがない時においてのみ機会的に発生できる。これを支援するために、ネットワークは、制御信号の送信以後に制御チャネルの処理時間を知る必要がある。これにより、ＵＥがＵＬ送信に転換できる。一方、このような方法が使用される場合にも、一部リソースは、ＰＲＡＣＨ送信などのＵＬ送信のために留保される必要がある。
【０２０７】
（３）ハイブリッド方法：上述した（１）と（２）が結合して使用されることができる。例えば、時間リソースを使用するために、半静的リソース分割によって第１ＣＧが定義されることができる。第１ＣＧがリソースを使用しないと、他のＣＧは、該当リソースを借りて使用することができる。このとき、上述したように、他のＣＧにリソースを割り当てるにおいて、十分な処理時間が考慮される必要がある。例えば、使用されないＤＬ部分を検出するために、制御チャネルの処理時間が考慮される必要がある。使用されないＵＬ部分を検出するために、制御チャネルとＵＬチャネルとの間の処理時間が考慮される必要がある。例えば、ＵＬ送信が近い未来に発生する可能性があると、ミニスロット基盤のＤＬ送信が使用されることができ、これは、潜在的なＰＵＳＣＨスケジューリング／送信前に完了することができる。さらに他の例として、スロットｎにおいてＰＵＳＣＨがシンボルＫでスケジュールされると、ＤＬリソースは、シンボル１からシンボルＫ−１までＤＬ送信のために使用されることができる。したがって、シンボルＫでのＰＵＳＣＨ送信が保証されることができる。または、ＰＵＳＣＨがスケジュールされると、ＤＬ送信は省略されることができる。
【０２０８】
６．ＳＵＬ搬送波でのＵＣＩピギーバック
【０２０９】
ＮＲで、ＤＬ搬送波は、一つ以上のＵＬ搬送波と関連することができる。このとき、一つ以上のＵＬ搬送波は、ＵＬ搬送波とＳＵＬ搬送波を含むことができる。各ＵＬ帯域当たりの一つのＳＵＬ搬送波だけが存在すると仮定したが、複数のＳＵＬ搬送波が存在すると一般化できる。ＳＵＬ搬送波は、ＤＬ搬送波と異なるように取り扱われることができるが、これは、セル構成の側面においてＵＬだけを有するセルを許容しないためである。このような側面において、ＵＬだけを有する搬送波は、ＤＬ搬送波と関連する必要があり、ＤＬ搬送波は、複数の関連したＵＬ搬送波を有することができる。構成されたＵＬ搬送波上において、一つのＴＢは、一回に処理されることができる。
【０２１０】
一方、二つのＵＬ搬送波間のヌメロロジーが互いに異なりうる。このとき、次の事項が考慮されうる。
【０２１１】
（１）ＴＡ
【０２１２】
−同じＴＡが二つのＵＬ搬送波に適用されることができる。ＴＡが基盤とするヌメロロジーは、ＰＵＣＣＨで使用されるヌメロロジーによって決定されることができる。すなわち、ＰＵＣＣＨが送信されるＵＬ搬送波において使用されるヌメロロジーがＴＡを指示するために使用されることができる。ＲＡＣＨ手順において、ＰＵＣＣＨで使用されるヌメロロジーは、Ｍｓｇ  ３で使用されるヌメロロジーと同じでありうる。ＰＵＣＣＨを送信するセルが変更されるか、またはＰＵＣＣＨで使用されるヌメロロジーがＭｓｇ  ３で使用されるヌメロロジーと異なると、構成されたオフセットがＰＵＣＣＨで使用されるヌメロロジーに基づいて変換され（すなわち、ＴＡ値を譲り受け）、ＰＵＣＣＨで使用されるヌメロロジーに基づいてアップデートされることができる。
【０２１３】
−セル別にＴＡが別に構成されることができ、このとき、各セルのヌメロロジーが使用されることができる。
【０２１４】
（２）ＴＰＣ（ｔｒａｎｓｍｉｔ  ｐｏｗｅｒ  ｃｏｍｍａｎｄ）
【０２１５】
−ＴＰＣは、複数のＵＬ搬送波間において別に使用されることができる。ＵＬ搬送波インデックスを有するＵＬグラントを基盤としてＴＰＣ値がアップデートされることができる。初期値には、必要なオフセット調整を経てＲＡＣＨ手順から決定された値が各ＵＬ搬送波のために使用されることができる。すなわち、ＲＡＣＨ手順がＵＬ搬送波で行われると、ＳＵＬ搬送波での初期電力を二つのＵＬ搬送波間のオフセットに基づいて決定されることができる。その以後、ＴＰＣアップデートは、各ＵＬ搬送波において独立的に行われることができる。
【０２１６】
−または、初期価格は、ＳＵＬ搬送波上においてトリガーされたＲＡＣＨ手順に基づいて決定されることができる（すなわち、ＵＬ搬送波において行われたＲＡＣＨ手順から得られた値と異なるように）
【０２１７】
（３）ＵＣＩピギーバック
【０２１８】
ＰＵＣＣＨを送信するセルとＰＵＳＣＨを送信するセルが異なる場合、ＰＵＣＣＨとＰＵＳＣＨが衝突する可能性がある。このような場合、ＨＡＲＱ−ＡＣＫ／ＳＲを有するＰＵＣＣＨが最も高い優先順位を有することができる。また、非周期的ＣＳＩを含むＵＣＩを含むＰＵＳＣＨが周期的ＣＳＩを含むＰＵＣＣＨより高い優先順位を有することができる。また、半永久的（ｓｅｍｉ−ｐｅｒｓｉｓｔｅｎｔ）ＣＳＩを含むＵＣＩを含むＰＵＳＣＨが周期的ＣＳＩを含むＰＵＣＣＨより高い優先順位を有することができる。また、ＵＣＩがないＰＵＳＣＨが周期的ＣＳＩを含むＰＵＣＣＨより高い優先順位を有することができる。一般に、ＨＡＲＱ−ＡＣＫ／ＳＲ＞ＵＣＩを含むＰＵＳＣＨ＞ＰＵＳＣＨ＞周期的ＣＳＩを有するＰＵＣＣＨの優先順位が衝突が発生した時にどんなチャネルの送信を省略するかを決定するのに使用されることができる。
【０２１９】
一方、衝突を決定するにおいて、次の規則が考慮されうる。２個以上のチャネルが、チャネルに使用される最も大きな副搬送波間隔を基盤として、少なくとも一つのシンボルのリソースで衝突できる。衝突詩に、ＵＥは、次の条件が満たされる場合、ＵＣＩをＰＵＳＣＨにピギーバックするのを試みることができる。
【０２２０】
１）スロットｋのシンボルｉでのＰＵＳＣＨ送信において、ＵＣＩピギーバックの処理時間は、ｋ０シンボルで決定されることができる。ＵＣＩがＰＵＳＣＨ開始地点の現在スロット／シンボルのｋ０シンボルの前に使用可能であると、これは、ピギーバックされうるＵＣＩと見なされることができ、ピギーバックが行われることができる。
【０２２１】
２）ｋ０を決定するにおいて、２通りの場合が考慮されうる。レートマッチング動作を要求するＵＣＩタイプに対して、ｋ０は、ＰＤＣＣＨ−ＰＵＳＣＨ間のタイミング（ｋ２）より大きいか、またはｋ２と同じでありうる。または、ｋ０は、ＰＤＳＣＨ−ＰＵＣＣＨ間のタイミング（ｋ１）とｋ２のうち、最も大きな値で決定されることができる。一方、ＰＤＣＣＨ−ＰＤＳＣＨ間のタイミングは、ｎ０でありうる。パンクチャリングが使用されるＵＣＩタイプに対して、ｋ０は１シンボルであり、これは、ＵＥ能力によって決定されることができる。すなわち、ＵＥは、自身の能力を報告し、これによってｋ０が１シンボルで構成されることができる。すなわち、ＵＣＩがＰＵＳＣＨ送信のｋ２シンボル以前に使用可能であると、ＵＣＩがピギーバックされうる。ｋ０は、ｋ２とは別に指示されることができ、ＵＥ能力によってｋ０は、ｋ２より小さくなりうる。
【０２２２】
３）ＵＣＩが使用可能であるかどうかを決定するにおいて、ＵＣＩは、ＣＳＩ−ＲＳリソースの最後の＋非周期的ＣＳＩ処理時間、ＰＤＳＣＨリソースの最後の＋データ処理時間（ＨＡＲＱ−ＡＣＫのため）で使用可能でありうる。ｋ２を決定するにおいて、非周期的ＣＳＩまたはＵＣＩのないＰＵＳＣＨ送信または非周期的ＣＳＩを含むＰＵＳＣＨ送信が別に考慮されうる。ｋ１を決定するにおいて、遅延時間は、データ処理＋データ用意の合計で決定されることができる。したがって、ＵＥが各ＵＬ搬送波に対して自身の能力を｛ｋ０，ｋ１，ｋ２｝の側面で報告できる。ｋ０，ｋ１，ｋ２各々は、１４シンボルを超えることができる。ｋ０は、ＵＣＩピギーバックのための処理時間、ｋ１は、ＰＤＳＣＨ−ＰＵＣＣＨ間のタイミング、ｋ２は、ＵＣＩピギーバックを考慮しないＰＤＣＣＨ−ＰＵＳＣＨ間のタイミングを示す。
【０２２３】
−ＵＬ搬送波１において（ＵＬ１，ｋ０，ＵＬ１，ｋ１，ＵＬ１，ｋ２）のタイミングが定義される。
【０２２４】
−ＵＬ搬送波２において（ＵＬ２，ｋ０，ＵＬ２，ｋ１，ＵＬ２，ｋ２）のタイミングが定義される。
【０２２５】
−ＵＬ搬送波２でのピギーバックは、ＰＵＳＣＨが始まる前にＰＤＳＣＨが（ＵＬ２，ｋ０＋ＵＬ２，ｋ２）前に終わる場合に行われることができる。または、ＵＬ搬送波２でのピギーバックは、ＨＡＲＱ−ＡＣＫピギーバックのためのＰＵＳＣＨが始まる前に（ＵＬ２，ｋ０，ＵＬ２，ｋ２）のうち、大きな値で発生できる。または、ＵＬ搬送波２でのピギーバックは、（ＵＬ１，ｋ０，ＵＬ２，ｋ０）のうち、大きな値、または、（ＵＬ２，ｋ０）または（ＵＬ１，ｋ１，ＵＬ２，ｋ１）のうち、大きな値、または（ＵＬ２，ｋ１）で発生できる。
【０２２６】
−ＵＬ搬送波２でのピギーバックは、ＰＵＳＣＨが始まる前にＣＳＩ−ＲＳリソースが（ＵＬ２，ｋ０＋ＵＬ２，ｋ２）前に終わる場合に行われることができる。または、ＵＬ搬送波２でのピギーバックは、周期的または半永久的ＣＳＩピギーバックのためのＰＵＳＣＨが始まる前に（ＵＬ２，ｋ０，ＵＬ２，ｋ２）のうち、大きな値で発生できる。または、ＵＬ搬送波２でのピギーバックは、（ＵＬ１，ｋ０，ＵＬ２，ｋ０）のうち、大きな値、または（ＵＬ２，ｋ０）または（ＵＬ１，ｋ１，ＵＬ２，ｋ１）のうち、大きな値または（ＵＬ２，ｋ１）で発生できる。
【０２２７】
−または、合計または大きな値の代わりに、ＵＣＩピギーバックの追加的な遅延を考慮するために合計または大きな値にデルタ遅延が追加されることができる。このデルタ値は、ｋ２’−ｋ２であり、ｋ２’は、ＵＣＩピギーバックの処理遅延を示す。または、ＰＵＳＣＨが非周期的ＣＳＩを有すると、ｋ２の代わりにｋ２’が使用されることができる。
【０２２８】
−または、ＵＣＩタイプによってピギーバックが別に決定されることができる。ＨＡＲＱ−ＡＣＫに対して、ＰＤＳＣＨが（ＵＬ２，ｋ０）よりまず終わると、ＨＡＲＱ−ＡＣＫがＰＵＳＣＨにピギーバックできる。周期的または半永久的ＣＳＩに対して、ＣＳＩ−ＲＳリソースが（ＵＬ２，ｋ０）よりまず終わると、周期的または半永久的ＣＳＩがＰＵＳＣＨにピギーバックされうる。ＰＵＣＣＨ上の非周期的ＣＳＩに対して、非周期的ＣＳＩの処理時間が使用されることができる。このとき、ＣＳＩ−ＲＳリソースは、（ＵＬ２、ｋ２’）よりまず終わることができる。
【０２２９】
−上述した方法がＵＬ搬送波１にも同様に適用されることができる。
【０２３０】
−ＨＡＲＱ−ＡＣＫ＋ＣＳＩの場合、ＨＡＲＱ−ＡＣＫが処理時間の要求条件を満たし、ＣＳＩは満たさない場合、ＨＡＲＱ−ＡＣＫだけがピギーバックされＣＳＩは、送信が省略されうる。これに対し、ＣＳＩが処理時間の要求条件を満たしＨＡＲＱ−ＡＣＫは満たさない場合、ＰＵＳＣＨ送信が省略されＰＵＣＣＨが送信されうる。特定ＵＣＩが処理時間の要求条件を満たすと（例えば、ＨＡＲＱ−ＡＣＫビットの一部だけが要求条件を満たすと）、全体ＵＣＩの送信が省略されうる。すなわち、ＵＣＩフィードバックの分割は支援されない。
【０２３１】
４）処理時間によってピギーバックが可能でない場合、優先順位に基づいてチャネルの送信が省略されうる。
【０２３２】
５）ＰＵＳＣＨ送信期間がＰシンボルより小さな場合、ＰＵＳＣＨに対した影響を最小化するために、ＣＳＩをピギーバックしないことが考慮されうる。
【０２３３】
６）ネットワークは、ＰＵＣＣＨが始まった以後にＰＵＳＣＨピギーバックが許容されるかどうかを構成できる。
【０２３４】
７）ＵＥは、ＰＵＣＣＨにおいてＯＣＣ（ｏｒｔｈｏｇｏｎａｌ  ｃｏｖｅｒ  ｃｏｄｅ）が使用されない場合においてのみＨＡＲＱ−ＡＣＫフィードバックをＰＵＳＣＨにピギーバックできる。
【０２３５】
８）遠いスロットＰＵＣＣＨ送信の場合、ピギーバックは、スロット別に行われることができる。すなわち、あるスロットは、ピギーバックのために使用され、他のスロットは、ＰＵＣＣＨを送信できる。または、マルチスロットＰＵＣＣＨ送信は、一つの送信として見なされることができる。
【０２３６】
図１９は、本発明の一実施形態によるＵＥによるＵＬ送信を行う方法のブロック図である。上述した本発明の多様な様態が本実施形態に適用されることができる。
【０２３７】
ステップＳ１９００にて、ＵＥは、互いに分離された第１ＣＧの第１ＵＬリソース及び第２ＣＧの第２ＵＬリソースに対する半静的構成を受信する。ステップＳ１９１０において、ＵＥは、前記第１ＵＬリソースだけを利用して、前記第１ＣＧへＵＬ送信を行う。
【０２３８】
前記第１ＵＬリソースと前記第２ＵＬリソースは、時間領域においてＴＤＭ方式で互いに分離されうる。前記第１ＣＧでの初期接続手順のためのＵＬ送信は、前記第１ＵＬリソース及び前記第２ＵＬリソースに対する半静的構成に関わらず、常に送信されうる。前記第１ＣＧは、ＬＴＥのＣＧであり、前記第２ＣＧは、ＮＲのＣＧでありうる。
【０２３９】
前記第１ＵＬリソースにおいて前記第１ＣＧへのＵＬ送信が優先順位を有し、前記第２ＵＬリソースにおいて前記第２ＣＧへのＵＬ送信が優先順位を有することができる。前記第１ＵＬリソースが前記第１ＣＧへのＵＬ送信のために使用されないと、前記第１ＵＬリソースは、前記第２ＣＧによって使用されうる。または、前記第２ＵＬリソースが前記第２ＣＧへのＵＬ送信のために使用されないと、前記第２ＵＬリソースは、前記第１ＣＧによって使用されうる。また、前記第１ＣＧへのＵＬ送信が前記第２ＵＬリソースにスケジュールされると、前記第２ＵＬリソースにおいて前記第２ＣＧへのＵＬ送信があるかどうかに関わらず、前記スケジュールされた第１ＣＧへのＵＬ送信は省略されうる。
【０２４０】
前記半静的構成は、前記第２ＣＧが活性化される以前に受信されることができる。前記第１ＵＬリソースは、第１ＵＬサブフレームの集合で、前記第２ＵＬリソースは、第２ＵＬサブフレームの集合でありうる。
【０２４１】
図２０は、本発明の実施形態が具現化される無線通信システムを示す。
【０２４２】
ＵＥ２０００は、プロセッサ（ｐｒｏｃｅｓｓｏｒ）２０１０、メモリ（ｍｅｍｏｒｙ）２０２０及び送受信部２０３０を含む。プロセッサ２０１０は、本明細書で説明された機能、過程及び／または方法を具現化するように構成されることができる。メモリ２０２０は、プロセッサ２０１０に接続されて、プロセッサ２０１０を駆動するための多様な情報を格納する。送受信部２０３０は、プロセッサ２０１０に接続されて、ネットワークノード２１００に無線信号を送信するか、またはネットワークノード２１００から無線信号を受信する。
【０２４３】
ネットワークノード２１００は、プロセッサ２１１０、メモリ２１２０及び送受信部２１３０を含む。プロセッサ２１１０は、本明細書において説明された機能、過程及び／または方法を具現化するように構成されることができる。メモリ２１２０は、プロセッサ２１１０に接続されて、プロセッサ２１１０を駆動するための多様な情報を格納する。送受信部２１３０は、プロセッサ２１１０に接続されて、ＵＥ２０００に無線信号を送信するか、またはＵＥ２０００から無線信号を受信する。
【０２４４】
プロセッサ２０１０、２１１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ２０２０、２１２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信部２０３０、２１３０は、無線周波数信号を処理するためのベースバンド回路を含むことができる。実施形態がソフトウェアにより具現化される時、上述した技法は、上述した機能を行うモジュール（過程、機能など）により具現化されることができる。モジュールは、メモリ２０２０、２１２０に格納され、プロセッサ２０１０、２１１０により実行されることができる。メモリ２０２０、２１２０は、プロセッサ２０１０、２１１０の内部または外部にあってよく、周知の多様な手段によりプロセッサ２０１０、２１１０に接続されることができる。
【０２４５】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
2020522955.tif 000005
【図２】
2020522955.tif 000006
【図３】
2020522955.tif 000007
【図４】
2020522955.tif 000008
【図５】
2020522955.tif 000009
【図６】
2020522955.tif 000010
【図７】
2020522955.tif 000011
【図８】
2020522955.tif 000012
【図９】
2020522955.tif 000013
【図１０】
2020522955.tif 000014
【図１１】
2020522955.tif 000015
【図１２】
2020522955.tif 000016
【図１３】
2020522955.tif 000017
【図１４】
2020522955.tif 000018
【図１５】
2020522955.tif 000019
【図１６】
2020522955.tif 000020
【図１７】
2020522955.tif 000021
【図１８】
2020522955.tif 000022
【図１９】
2020522955.tif 000023
【図２０】
2020522955.tif 000024
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
無線通信システムにおけるＵＥ（user equipment）によって行われる方法であって、
第１ＣＧ（cell group）と接続を確立し、
前記第１ＣＧ及び第２ＣＧとデュアルコネクティビティを確立するために、前記第２ＣＧの構成と関連した情報を前記第１ＣＧから受信し、
前記第１ＣＧへのＵＬ（uplink）送信のための第１ＵＬリソースまたは前記第２ＣＧへのＵＬ送信のための第２ＵＬリソースの少なくとも一つに対する半静的構成を前記第１ＣＧから受信し、
前記第１ＵＬリソースに基づいて前記第１ＣＧへ前記ＵＬ送信を行う、ことを含み、
前記第１ＵＬリソースと前記第２ＵＬリソースは、時間領域で互いに分離される、方法。
【請求項２】
前記第１ＵＬリソースと前記第２ＵＬリソースは、時間領域でＴＤＭ（timing division multiplexing）方式で互いに分離される、請求項１に記載の方法。
【請求項３】
前記第１ＣＧでの初期アクセス手順のための前記ＵＬ送信は、前記第１ＵＬリソース及び第２ＵＬリソースに対する前記半静的構成にかかわらず、常に行われうる、請求項１に記載の方法。
【請求項４】
前記第１ＣＧは、ＬＴＥ（long-term evolution）のＣＧであり、
前記第２ＣＧは、ＮＲ（new radio access technology）のＣＧである、請求項３に記載の方法。
【請求項５】
前記第１ＣＧへのＵＬ送信は、前記第１ＵＬリソースで優先順位を有し、
前記第２ＣＧへのＵＬ送信は、前記第２ＵＬリソースで優先順位を有する、請求項１に記載の方法。
【請求項６】
前記第１ＵＬリソースが前記第１ＣＧへの前記ＵＬ送信のために使用されない場合、前記第１ＵＬリソースは、前記第２ＣＧによって使用される、請求項５に記載の方法。
【請求項７】
前記第２ＵＬリソースが前記第２ＣＧへの前記ＵＬ送信のために使用されない場合、前記第２ＵＬリソースは、前記第１ＣＧによって使用される、請求項５に記載の方法。
【請求項８】
前記第１ＣＧへの前記ＵＬ送信が前記第２ＵＬリソースでスケジュールされる場合、前記第２ＵＬリソースで前記第２ＣＧへの前記ＵＬ送信があるかどうかにかかわらず、前記スケジュールされた前記第１ＣＧへのＵＬ送信は、省略される、請求項１に記載の方法。
【請求項９】
前記半静的構成は、前記第２ＣＧが活性化される前に受信される、請求項１に記載の方法。
【請求項１０】
前記第１ＵＬリソースは、第１ＵＬサブフレームの集合であり、
前記第２ＵＬリソースは、第２ＵＬサブフレームの集合である、請求項１に記載の方法。
【請求項１１】
無線通信システムにおけるＵＥ（user equipment）であって、
メモリと、
送受信部と、
前記メモリ及び前記送受信部と動作可能に連結されるプロセッサと、を含み、
前記プロセッサは、
第１ＣＧ（cell group）と接続を確立し、
前記第１ＣＧ及び第２ＣＧとデュアルコネクティビティを確立するために、前記第２ＣＧの構成と関連した情報を前記第１ＣＧから受信するように前記送受信部を制御し、
前記第１ＣＧへのＵＬ（uplink）送信のための第１ＵＬリソースまたは第２ＣＧへのＵＬ送信のための第２ＵＬリソースの少なくとも一つに対する半静的構成を前記第１ＣＧから受信するように前記送受信部を制御し、
前記第１ＵＬリソースに基づいて前記第１ＣＧへＵＬ送信を行うように前記送受信部を制御する、ように構成され、
前記第１ＵＬリソースと前記第２ＵＬリソースは、時間領域で互いに分離される、ＵＥ。
【請求項１２】
前記第１ＵＬリソースと前記第２ＵＬリソースは、時間領域でＴＤＭ（timing division multiplexing）方式で互いに分離される、請求項１１に記載のＵＥ。
【請求項１３】
前記第１ＣＧでの初期アクセス手順のための前記ＵＬ送信は、前記第１ＵＬリソース及び前記第２ＵＬリソースに対する半静的構成にかかわらず、常に行われうる、請求項１１に記載のＵＥ。
【請求項１４】
前記第１ＣＧは、ＬＴＥ（long-term evolution）のＣＧであり、
前記第２ＣＧは、ＮＲ（new radio access technology）のＣＧである、請求項１３に記載のＵＥ。
【請求項１５】
前記第１ＣＧへのＵＬ送信は、前記第１ＵＬリソースで優先順位を有し、
前記第２ＣＧへのＵＬ送信は、前記第２ＵＬリソースで優先順位を有する、請求項１１に記載のＵＥ。
【国際調査報告】
2020522955.tif 000025
2020522955.tif 000026
2020522955.tif 000027
2020522955.tif 000028